(57)【要約】  移動局が複数の通信方式に適応する場合でも、移動局の回路規模の増大を最小限に抑えつつ、各通信方式で同等のダイバーシチ効果を得ることができる移動局。ＳＣ−ＦＤＭＡ通信またはＯＦＤＭＡ通信のいずれかを行う移動局（１００）であって、インタリーブ部（１０３）は、ＳＣ−ＦＤＭＡ通信およびＯＦＤＭＡ通信のいずれが行われる場合にも、複数のコードブロックに分割される複数のリソースエレメントを複数のコードブロック間においてインタリーブする。また、ＯＦＤＭＡ通信が行われる場合にのみ、Ｓ／Ｐ変換部（１０７）は、データシンボルを並列に変換してＯＦＤＭシンボルを生成する。シフト部（１０８）は、Ｓ／Ｐ変換部（１０７）から入力されるＯＦＤＭシンボルに対して、ＯＦＤＭシンボル毎に異なる周波数シフトを与えることで、インタリーブ後の複数のコードブロック毎の複数のリソースエレメントを周波数領域に分散配置する。
2009142025.tif 000002
【特許請求の範囲】
【請求項１】
シングルキャリア通信またはマルチキャリア通信のいずれかを行う無線通信移動局装置であって、
前記シングルキャリア通信および前記マルチキャリア通信のいずれが行われる場合にも、
複数のコードブロックに分割される複数のリソースエレメントを前記複数のコードブロック間においてインタリーブするインタリーブ手段と、
前記マルチキャリア通信が行われる場合にのみ、インタリーブ後の前記複数のリソースエレメントを前記複数のコードブロック毎に周波数領域に分散配置する配置手段と、
を具備する無線通信移動局装置。
【請求項２】
前記配置手段は、インタリーブ後の前記複数のリソースエレメントを前記複数のコードブロック毎に周波数領域に均等に配置する、
請求項１記載の無線通信移動局装置。
【請求項３】
前記配置手段は、インタリーブ後の前記複数のリソースエレメントをシンボル毎に異なるシフト量でシンボル毎に周波数領域においてシフトさせる、
請求項１記載の無線通信移動局装置。
【請求項４】
前記配置手段は、シンボル番号ｎのシンボルにおいて、（（ｎ−１）×Ｎｓｕｂ／Ｎｓｙｍ）（但し、Ｎｓｕｂは前記マルチキャリア通信に用いられるサブキャリア数、Ｎｓｙｍは１スロットあたりのシンボル数）のシフト量を用いる、
請求項３記載の無線通信移動局装置。
【請求項５】
前記配置手段は、インタリーブ後の前記複数のリソースエレメントを、前記複数のリソースエレメントから成る複数のシンボルの時間領域における中心位置を基準にして前記複数のコードブロック毎に鏡像関係となるように配置する、
請求項１記載の無線通信移動局装置。
【請求項６】
前記配置手段は、インタリーブ後の前記複数のリソースエレメントを前記複数のコードブロック毎に周波数領域にランダムに配置する、
請求項１記載の無線通信移動局装置。
【請求項７】
シングルキャリア通信またはマルチキャリア通信のいずれかを行う無線通信移動局装置におけるリソースエレメント分散配置方法であって、
前記シングルキャリア通信および前記マルチキャリア通信のいずれが行われる場合にも、複数のリソースエレメントより構成される複数のコードブロック間においてインタリーブされた前記複数のリソースエレメントを、前記マルチキャリア通信が行われる場合にのみ、前記複数のコードブロック毎に周波数領域に分散配置する、
リソースエレメント分散配置方法。
【発明の詳細な説明】
【技術分野】
【０００１】
本発明は、無線通信移動局装置およびリソースエレメント分散配置方法に関する。
【背景技術】
【０００２】
３ＧＰＰ  ＲＡＮ  ＬＴＥ(3rd Generation Partnership Project Radio Access Network Long Term Evolution)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１参照）。【０００３】
また、ＬＴＥの発展形であるＬＴＥ−Ａｄｖａｎｃｅｄでは、上り回線リソースの利用効率向上のため、移動局が複数の送信データを複数のアンテナにより同時に同一の周波数リソースを用いて送信し、基地局が空間多重された複数の信号を分離する空間分割多重（ＳＤＭ：Space Division Multiple）技術の適用が考えられる。ＳＤＭ技術を適用することで、上り回線における周波数利用効率を向上することが可能となる。【０００４】
しかし、ＳＣ−ＦＤＭＡ等のシングルキャリア通信方式とＳＤＭ技術との組み合わせは、ＯＦＤＭＡ等のマルチキャリア通信方式とＳＤＭ技術との組み合わせと比較して受信特性が悪くなってしまう（例えば、非特許文献２参照）。そこで、ＬＴＥ−Ａｄｖａｎｃｅｄでは、上り回線の通信方式として、ＳＣ−ＦＤＭＡに加え、ＯＦＤＭＡも採用することが検討されている。【０００５】
また、移動局は、符号化利得を効率良く得るために、符号化後の送信データをインタリーブする。例えば、移動局は、符号化後の送信データに対して、時間領域でインタリーブ処理を行うことで、時間ダイバーシチ効果を得ることができ、周波数領域でインタリーブ処理を行うことで、周波数ダイバーシチ効果を得ることができる。
【先行技術文献】
【非特許文献】
【０００６】
【非特許文献１】3GPP TS 36.211 V8.1.0, “Physical Channels and Modulation (Release 8),” Nov. 2007
【非特許文献２】樋口，川本，川合，前田，佐和橋，“ＯＦＤＭとＤＳ−ＣＤＭＡ無線アクセスのＭＩＭＯ多重パケット伝送を用いたときのマルチパスフェージングチャネルにおける特性比較”，信学技報CS2004-188，RCS2004-295，pp.31-36，2005年1月（K.Higuchi, J.Kawamoto, H.Kawai, N.Maeda, M.Sawahashi, "Performance Comparisons Between OFDM and DS-CDMA Radio Access Using MIMO Multiplexing in Multi-path Fading Channels", IEICE technical report CS2004-188, RSC2004-295, pp.31-36, Jan. 2005）
【発明の概要】
【発明が解決しようとする課題】
【０００７】
移動局は、符号化後の送信データをインタリーブする場合、送信データの伝送に用いる通信方式に適したインタリーブを行う。【０００８】
例えば、ＳＣ−ＦＤＭＡでは、１つのＳＣ−ＦＤＭＡシンボルが複数の時間連続信号（Time-continuous signal）で構成され、各時間連続信号はすべての周波数リソースを占有する。よって、ＳＣ−ＦＤＭＡでは、周波数領域でのインタリーブ処理が行われなくても周波数ダイバーシチ効果を得ることができる。そこで、ＳＣ−ＦＤＭＡでは、移動局は時間ダイバーシチ効果を得るために、時間領域でのインタリーブを行う。つまり、ＳＣ−ＦＤＭＡでは、時間領域でのインタリーブ処理のみで、時間ダイバーシチ効果および周波数ダイバーシチ効果の双方を得ることができる。【０００９】
これに対し、ＯＦＤＭＡでは、１つのＯＦＤＭシンボルが複数のサブキャリアで構成される。ここで、各サブキャリアは周波数リソースの一部のみしか占有しない。そのため、ＯＦＤＭＡでは、時間ダイバーシチ効果および周波数ダイバーシチ効果の双方を得るためには、時間領域および周波数領域双方でのインタリーブを行う必要ある。【００１０】
よって、上り回線の通信方式としてＳＣ−ＦＤＭＡとＯＦＤＭＡの双方が採用されて移動局がＳＣ−ＦＤＭＡとＯＦＤＭＡの双方の通信方式に適応するためには、移動局はそれぞれの通信方式に適したインタリーバを有しなければならない。しかし、これでは、移動局の回路規模が増大してしまう。【００１１】
本発明の目的は、移動局が複数の通信方式に適応する場合でも、移動局の回路規模の増大を最小限に抑えつつ、各通信方式で同等のダイバーシチ効果を得ることができる無線通信移動局装置およびリソースエレメント（ＲＥ：Resource Element）分散配置方法を提供することである。
【課題を解決するための手段】
【００１２】
本発明の無線通信移動局装置は、シングルキャリア通信またはマルチキャリア通信のいずれかを行う無線通信移動局装置であって、前記シングルキャリア通信および前記マルチキャリア通信のいずれが行われる場合にも、複数のコードブロックに分割される複数のリソースエレメントを前記複数のコードブロック間においてインタリーブするインタリーブ手段と、前記マルチキャリア通信が行われる場合にのみ、インタリーブ後の前記複数のリソースエレメントを前記複数のコードブロック毎に周波数領域に分散配置する配置手段と、を具備する構成を採る。
【発明の効果】
【００１３】
本発明によれば、移動局が複数の通信方式に適応する場合でも、移動局の回路規模の増大を最小限に抑えつつ、各通信方式で同等のダイバーシチ効果を得ることができる。
【図面の簡単な説明】
【００１４】
【図１】本発明の実施の形態１に係る移動局の構成を示すブロック図
【図２】本発明の実施の形態１に係る基地局の構成を示すブロック図
【図３】本発明の実施の形態１に係るインタリーブ処理を示す図
【図４】本発明の実施の形態１に係るＳＣ−ＦＤＭＡ信号を示す図
【図５】本発明の実施の形態１に係るＳ／Ｐ変換処理を示す図
【図６】本発明の実施の形態１に係る周波数シフト処理を示す図
【図７】本発明の実施の形態１に係るＯＦＤＭＡ信号を示す図
【図８】本発明の実施の形態２に係る移動局の構成を示すブロック図
【図９】本発明の実施の形態２に係るミラーリング処理を示す図
【図１０】本発明の実施の形態３に係る移動局の構成を示すブロック図
【図１１】本発明の実施の形態３に係るランダマイズ処理を示す図
【図１２】本発明の実施の形態４に係るＯＦＤＭＡ信号を示す図
【発明を実施するための形態】
【００１５】
以下、本発明の実施の形態について、添付図面を参照して詳細に説明する。以下の説明では、移動局が上り回線で送信するデータ（すなわち、基地局が上り回線で受信するデータ）はＳＣ−ＦＤＭＡまたはＯＦＤＭＡで伝送される。すなわち、移動局では、シングルキャリア通信（ＳＣ−ＦＤＭＡ通信）、または、マルチキャリア通信（ＯＦＤＭＡ通信）のいずれかが行われる。
【００１６】
（実施の形態１）
本実施の形態に係る移動局１００の構成を図１に示し、本実施の形態に係る基地局２００の構成を図２に示す。
【００１７】
なお、説明が煩雑になることを避けるために、図１では、本発明と密接に関連する上り回線データの送信、および、制御情報の下り回線での受信に係わる構成部を示し、下り回線データの受信に係わる構成部の図示および説明を省略する。同様に、図２では、本発明と密接に関連する上り回線データの受信、および、制御情報の下り回線での送信に係わる構成部を示し、下り回線データの送信に係わる構成部の図示および説明を省略する。
【００１８】
また、基地局２００から移動局１００に送信される制御情報には、上り回線データが割り当てられる送信用リソースを示すＲＢ割当情報、および、ＳＣ−ＦＤＭＡ通信およびＯＦＤＭＡ通信の通信方式の切り替え指示を示す通信方式切替指示情報が含まれる。例えば、通信方式切替指示情報には、ＳＣ−ＦＤＭＡ通信およびＯＦＤＭＡ通信のうち、移動局１００が使用する通信方式が示される。
【００１９】
また、図１のＲＳ（Reference Signal：参照信号）付加部１０５、ＤＦＴ（Discrete Fourier Transform）部１０６および図２のＩＤＦＴ（Inverse Discrete Fourier Transform）部２０８は、ＳＣ−ＦＤＭＡ通信で固有に使用される構成部である。同様に、図１のＳ／Ｐ（serial/Parallel）変換部１０７、シフト部１０８およびＲＳ付加部１０９、図２のシフト部２０９およびＰ／Ｓ（Parallel/serial）変換部２１０は、ＯＦＤＭＡ通信で固有に使用される構成部である。
【００２０】
図１に示す移動局１００において、符号化部１０１には、送信データ（上り回線データ）が入力される。ここで、送信データは、符号化単位であるコードブロックに分割され、複数のコードブロックで構成される。さらに、各コードブロックは複数のＲＥで構成される。換言すると、送信データを構成する複数のＲＥは、複数のコードブロックに分割される。符号化部１０１は、例えばＣＲＣ（Cyclic Redundancy Check）符号等の誤り検出符号を用いて、各コードブロックを符号化する。また、符号化部１０１は、各コードブロック内の複数のＲＥに対してインタリーブ（サブブロック内インタリーブ）を行う。そして、符号化部１０１は、符号化後の送信データを変調部１０２に出力する。
【００２１】
変調部１０２は、符号化部１０１から入力される送信データを変調して、データシンボルを生成する。そして、変調部１０２は、生成されたデータシンボルをインタリーブ部１０３に出力する。
【００２２】
インタリーブ部１０３は、ＳＣ−ＦＤＭＡ通信およびＯＦＤＭＡ通信のいずれが行われる場合にも、変調部１０２から入力されるデータシンボル（ＳＣ−ＦＤＭＡシンボルまたはＯＦＤＭシンボル）をコードブロック間においてインタリーブする。具体的には、インタリーブ部１０３は、ＳＣ−ＦＤＭＡ通信およびＯＦＤＭＡ通信のいずれが行われる場合にも、データシンボル、すなわち、複数のコードブロックに分割される複数のＲＥを複数のコードブロック間においてインタリーブする。つまり、インタリーブ部１０３は、複数のＲＥを、時間領域においてインタリーブする。例えば、インタリーブ部１０３は、複数のＲＥのうち隣接するＲＥ同士が互いに異なるＳＣ−ＦＤＭＡシンボルまたは互いに異なるＯＦＤＭシンボルに配置されるように、複数のＲＥを時間領域で並び替えることでインタリーブ処理を行う。そして、インタリーブ部１０３は、インタリーブ後のデータシンボルをスイッチ１０４に出力する。
【００２３】
スイッチ１０４は、復号部１１７から入力される通信方式切替指示情報に従って、ＲＳ付加部１０５との接続と、Ｓ／Ｐ変換部１０７との接続とを切り替える。具体的には、スイッチ１０４は、通信方式切替指示情報に示される通信方式がＳＣ−ＦＤＭＡ通信である場合、ＲＳ付加部１０５と接続することで、インタリーブ部１０３から入力されるデータシンボルをＲＳ付加部１０５に出力する。一方、スイッチ１０４は、通信方式切替指示情報に示される通信方式がＯＦＤＭＡ通信である場合、Ｓ／Ｐ変換部１０７と接続することで、インタリーブ部１０３から入力されるデータシンボルをＳ／Ｐ変換部１０７に出力する。
【００２４】
ＲＳ付加部１０５は、スイッチ１０４から入力されるデータシンボル（すなわち、ＳＣ−ＦＤＭＡシンボル）にＲＳを時間多重で付加する。そして、ＲＳ付加部１０５は、ＲＳ付加後の信号（ＳＣ−ＦＤＭＡ信号）をＤＦＴ部１０６に出力する。
【００２５】
ＤＦＴ部１０６は、ＲＳ付加部１０５から入力されるＳＣ−ＦＤＭＡ信号にＤＦＴ処理を施し、時間領域の信号を周波数領域の信号に変換する。そして、ＤＦＴ部１０６は、ＤＦＴ後のＳＣ−ＦＤＭＡ信号をマッピング部１１０に出力する。
【００２６】
一方、Ｓ／Ｐ変換部１０７は、スイッチ１０４から直列に入力されるデータシンボルを並列に変換する。具体的には、Ｓ／Ｐ変換部１０７は、直列に入力されるデータシンボルを、ＯＦＤＭシンボルを構成する複数のサブキャリアに対応付けることでＯＦＤＭシンボルを生成する。すなわち、Ｓ／Ｐ変換部１０７は、インタリーブ部１０３で時間領域においてインタリーブされた複数のＲＥを、周波数領域に軸変換してＯＦＤＭシンボルを生成する。そして、Ｓ／Ｐ変換部１０７は、ＯＦＤＭシンボルをシフト部１０８に出力する。
【００２７】
シフト部１０８は、Ｓ／Ｐ変換部１０７から入力されるＯＦＤＭシンボルを、ＯＦＤＭシンボル毎に異なるシフト量でＯＦＤＭ毎に周波数領域においてシフトさせる。例えば、シフト部１０８は、シンボル番号ｎのＯＦＤＭシンボルにおいて、次式（１）により算出されるシフト量（サブキャリア数）を用いる。
シフト数＝（ｎ−１）×Ｎｓｕｂ／Ｎｓｙｍ      （１）
【００２８】
ここで、Ｎｓｕｂは、ＯＦＤＭＡ通信に用いられるサブキャリア数を示し、Ｎｓｙｍは、１スロットあたりのＯＦＤＭシンボル数のうち、送信データが割り当てられる情報シンボルの数を示す。また、シンボル番号ｎ＝１〜Ｎｓｙｍとする。つまり、シンボル番号ｎのＯＦＤＭシンボルを構成する複数のＲＥは、上式（１）により算出されるシフト量（サブキャリア数）でシフトする。そして、シフト部１０８は、周波数シフト後のＯＦＤＭシンボルをＲＳ付加部１０９に出力する。
【００２９】
ＲＳ付加部１０９は、ＲＳ付加部１０５と同様にして、シフト部１０８から入力されるＯＦＤＭシンボルにＲＳを時間多重で付加する。そして、ＲＳ付加部１０９は、ＲＳ付加後の信号（ＯＦＤＭＡ信号）をマッピング部１１０に出力する。
【００３０】
マッピング部１１０は、復号部１１７から入力されるＲＢ割当情報に従って、ＤＦＴ部１０６から入力されるＳＣ−ＦＤＭＡ信号、または、ＲＳ付加部１０９から入力されるＯＦＤＭＡ信号を、サブキャリアにマッピングする。そして、マッピング部１１０は、サブキャリアにマッピングされた信号をＩＤＦＴ部１１１に出力する。
【００３１】
ＩＤＦＴ部１１１は、マッピング部１１０から入力される信号にＩＤＦＴ処理を施し、ＩＤＦＴ後の信号をＣＰ（Cyclic Prefix）付加部１１２に出力する。
【００３２】
ＣＰ付加部１１２は、ＩＤＦＴ部１１１から入力される信号の後尾部分と同じ信号をＣＰとして信号の先頭に付加する。
【００３３】
無線送信部１１３は、ＣＰ付加部１１２から入力される信号に対しＤ／Ａ変換、増幅およびアップコンバート等の送信処理を行って、送信処理後の信号をアンテナ１１４から基地局２００（図２）へ送信する。
【００３４】
一方、無線受信部１１５は、基地局２００（図２）から送信された制御情報をアンテナ１１４を介して受信し、この制御情報に対しダウンコンバート、Ａ／Ｄ変換等の受信処理を行う。無線受信部１１５は、受信処理後の制御情報を復調部１１６に出力する。
【００３５】
復調部１１６は、無線受信部１１５から入力される制御情報を復調し、復調後の制御情報を復号部１１７に出力する。
【００３６】
復号部１１７は、復調部１１６から入力される制御情報を復号し、復号後の制御情報のうち、ＲＢ割当情報をマッピング部１１０に出力し、通信方式切替指示情報をスイッチ１０４に出力する。
【００３７】
次に、図２に示す基地局２００において、無線受信部２０２は、移動局１００（図１）から送信された信号（ＳＣ−ＦＤＭＡ信号またはＯＦＤＭＡ信号）をアンテナ２０１を介して受信し、この受信信号に対しダウンコンバート、Ａ／Ｄ変換等の受信処理を行う。無線受信部２０２は、受信処理後の受信信号をＣＰ除去部２０３に出力する。
【００３８】
ＣＰ除去部２０３は、受信処理後の受信信号からＣＰを除去する。
【００３９】
ＤＦＴ部２０４は、ＣＰ除去部２０３から入力される受信信号にＤＦＴ処理を施し、時間領域の信号を周波数領域の信号に変換する。そして、ＤＦＴ部２０４は、ＤＦＴ後の信号、すなわち、周波数領域の信号を分離部２０５に出力する。
【００４０】
分離部２０５は、ＤＦＴ部２０４から入力される信号を、データ信号とＲＳとに分離する。そして、分離部２０５は、ＲＳを推定部２０６に出力し、データ信号を周波数領域等化部２０７に出力する。
【００４１】
推定部２０６は、分離部２０５から入力されるＲＳを用いて伝搬路推定を行う。そして、推定部２０６は、推定結果を示す伝搬路情報を周波数領域等化部２０７に出力する。
【００４２】
周波数領域等化部２０７は、推定部２０６から入力される伝搬路情報を用いて、分離部２０５から入力されるデータ信号に対して周波数領域等化を行う。そして、周波数領域等化部２０７は、入力される制御情報に従って、周波数領域等化後のデータ信号をＩＤＦＴ部２０８またはシフト部２０９に出力する。具体的には、制御情報に含まれる通信方式切替指示情報に示される通信方式がＳＣ−ＦＤＭＡ通信の場合、周波数領域等化部２０７は、データ信号（すなわち、ＳＣ−ＦＤＭＡ信号）をＩＤＦＴ部２０８に出力する。一方、制御情報に含まれる通信方式切替指示情報に示される通信方式がＯＦＤＭＡ通信である場合、周波数領域等化部２０７は、データ信号（すなわち、ＯＦＤＭＡ信号）をシフト部２０９に出力する。
【００４３】
ＩＤＦＴ部２０８は、周波数領域等化部２０７から入力されるＳＣ−ＦＤＭＡ信号にＩＤＦＴ処理を施し、周波数領域の信号を時間領域の信号に変換する。そして、ＩＤＦＴ部２０８は、時間領域のＳＣ−ＦＤＭＡ信号を順にスイッチ２１１に出力する。
【００４４】
一方、シフト部２０９は、周波数領域等化部２０７から入力されるＯＦＤＭＡ信号を、移動局１００のシフト部１０８（図１）でＯＦＤＭシンボルをシフトさせたシフト量と逆の特性のシフト量でシフトさせる。例えば、シフト部２０９は、ＯＦＤＭＡ信号に含まれるシンボル番号ｎのＯＦＤＭシンボルにおいて、式（１）により算出されるシフト量（サブキャリア数）と同一のシフト量であり、かつ、シフト部１０８とは逆方向のシフト量を用いる。そして、シフト部２０９は、シフト後のＯＦＤＭＡ信号をＰ／Ｓ変換部２１０に出力する。
【００４５】
Ｐ／Ｓ変換部２１０は、シフト部２０９から入力されるＯＦＤＭＡ信号、すなわち、周波数領域に複数のＲＥが配置された信号を直列に変換する。そして、Ｐ／Ｓ変換部２１０は、周波数領域に配置された複数のＲＥを、順にスイッチ２１１に出力する。
【００４６】
スイッチ２１１は、入力される制御情報に含まれる通信方式切替指示情報に従って、ＩＤＦＴ部２０８との接続と、Ｐ／Ｓ変換部２１０との接続とを切り替える。具体的には、スイッチ２１１は、通信方式切替指示情報に示される通信方式がＳＣ−ＦＤＭＡ通信である場合、ＩＤＦＴ部２０８と接続することで、ＩＤＦＴ部２０８から入力されるＳＣ−ＦＤＭＡ信号をデインタリーブ部２１２に出力する。一方、スイッチ２１１は、通信方式切替指示情報に示される通信方式がＯＦＤＭＡ通信である場合、Ｐ／Ｓ変換部２１０と接続することで、Ｐ／Ｓ変換部２１０から入力されるＯＦＤＭＡ信号をデインタリーブ部２１２に出力する。
【００４７】
デインタリーブ部２１２は、スイッチ２１１から入力されるデータ信号（ＳＣ−ＦＤＭＡ信号またはＯＦＤＭＡ信号）をデインタリーブする。具体的には、デインタリーブ部２１２は、ＳＣ−ＦＤＭＡ通信およびＯＦＤＭＡ通信のいずれが行われる場合にも、移動局１００のインタリーブ部１０３（図１）と同一のインタリーブパターンを用いてデインタリーブ処理を行う。そして、デインタリーブ部２１２は、デインタリーブ後のデータ信号を復調部２１３に出力する。すなわち、デインタリーブ部２１２では、インタリーブ部１０３（図１）と同様、ＳＣ−ＦＤＭＡ通信およびＯＦＤＭＡ通信の双方のデータ信号に対して共通のデインタリーブ処理を行う。
【００４８】
復調部２１３は、デインタリーブ部２１２から入力されるデータ信号を復調し、復調後のデータ信号を復号部２１４に出力する。
【００４９】
復号部２１４は、復調部２１３から入力されるデータ信号を復号し、復号後のデータ信号を受信データとして出力する。
【００５０】
一方、符号化部２１５は、入力される制御情報を符号化し、符号化後の制御情報を変調部２１６に出力する。
【００５１】
変調部２１６は、符号化部２１５から入力される制御情報を変調し、変調後の制御情報を無線送信部２１７に出力する。
【００５２】
無線送信部２１７は、変調部２１６から入力される制御情報に対しＤ／Ａ変換、増幅およびアップコンバート等の送信処理を行って、送信処理後の制御情報をアンテナ２０１から移動局１００（図１）へ送信する。
【００５３】
次に、本実施の形態の移動局１００におけるＳＣ−ＦＤＭＡ通信処理およびＯＦＤＭＡ通信処理の詳細について説明する。ここでは、１スロットが、７個のＳＣ−ＦＤＭＡシンボルまたは７個のＯＦＤＭシンボルで構成される。また、送信データは、６個のコードブロック（コードブロック１〜６）に分割される。また、各コードブロックは、各コードブロック内でインタリーブ（サブブロック内インタリーブ）された１２個のＲＥ（ＲＥ１〜１２）で構成される。換言すると、送信データは７２個のＲＥで構成され、７２個のＲＥは６個のコードブロックに分割される。また、１スロット内の７シンボル（シンボル番号１〜７のシンボル）のうち、１シンボルにＲＳが配置され、１スロット内の残りの６シンボルにコードブロック１〜６が配置される。つまり、１スロット内の情報シンボル数Ｎｓｙｍは、６シンボルとなる。ここでは、ＲＳは、１スロット内の中央に位置するシンボル番号４のシンボルに配置される。また、１つのＳＣ−ＦＤＭＡシンボルは、１２個の時間連続信号を含む。また、１つのＯＦＤＭシンボルは１２個のサブキャリア（サブキャリアインデックス１〜１２のサブキャリア）を含む。また、説明を簡略するため、以下の説明では、送信データのＣＰ部分は図示しない。
【００５４】
まず、インタリーブ部１０３は、各コードブロックに分割されたＲＥをコードブロック１〜６間においてインタリーブする。具体的には、図３に示すように、インタリーブ部１０３は、コードブロック１〜６それぞれのＲＥ１〜１２を、シンボル番号１〜６のシンボルを構成する時間連続信号のいずれかに配置する。例えば、図３に示すように、インタリーブ部１０３は、コードブロック１のＲＥ１および７を、シンボル番号１のシンボル内の時間連続信号に配置し、コードブロック１のＲＥ２および８を、シンボル番号２のシンボル内の時間連続信号に配置し、コードブロック１のＲＥ３および９を、シンボル番号３のシンボル内の時間連続信号に配置し、コードブロック１のＲＥ４および１０を、シンボル番号４のシンボル内の時間連続信号に配置し、コードブロック１のＲＥ５および１１を、シンボル番号５のシンボル内の時間連続信号に配置し、コードブロック１のＲＥ６および１２を、シンボル番号６のシンボル内の時間連続信号に配置する。コードブロック２〜６についても同様である。
【００５５】
次いで、移動局１００がＳＣ−ＦＤＭＡ通信を行う場合（通信方式切替指示情報に示される通信方式がＳＣ−ＦＤＭＡ通信である場合）、ＲＳ付加部１０５は、図４に示すように、１スロット内の中央に位置するシンボル番号４のＳＣ−ＦＤＭＡシンボルにＲＳを付加する。すなわち、ＲＳ付加部１０５は、インタリーブ部１０３から入力される、図３に示すシンボル番号４〜６のＳＣ−ＦＤＭＡシンボルを、図４に示すように、シンボル番号５〜７のＳＣ−ＦＤＭＡシンボルにシフトし、図４に示すシンボル番号４のＳＣ−ＦＤＭＡシンボルにＲＳを付加する。
【００５６】
以上により、図４に示すＳＣ−ＦＤＭＡ信号では、コードブロック１〜６に分割された７２個の各ＲＥが時間領域（シンボル番号１〜３のＳＣ−ＦＤＭＡシンボルおよびシンボル番号５〜７のＳＣ−ＦＤＭＡシンボル）で分散配置される。よって、ＲＳがスロットの中央（図４に示すシンボル番号４のＳＣ−ＦＤＭＡシンボル）に位置する場合でも、各ＳＣ−ＦＤＭＡシンボル（図４に示すシンボル番号１〜７のＳＣ−ＦＤＭＡシンボル）間での伝搬路推定精度のばらつきによる影響が、コードブロック１〜６間で均一化される。換言すると、ＳＣ−ＦＤＭＡ通信を行う際、時間ダイバーシチ効果が得られる。また、図４に示すように、各時間連続信号は、周波数リソースをすべて占有するため、周波数ダイバーシチ効果が得られる。
【００５７】
一方、移動局１００がＯＦＤＭＡ通信を行う場合（通信方式切替指示情報に示される通信方式がＯＦＤＭＡ通信である場合）、Ｓ／Ｐ変換部１０７およびシフト部１０８は、インタリーブ後の複数のＲＥを複数のコードブロック毎に周波数領域に分散配置する配置手段として機能する。
【００５８】
Ｓ／Ｐ変換部１０７は、図３に示すシンボル番号１〜６のシンボルを構成するＲＥを、ＯＦＤＭシンボルを構成するサブキャリア単位毎に並列に変換する。具体的には、Ｓ／Ｐ変換部１０７は、図３に示すシンボル番号１のシンボルを構成する１２ＲＥ（コードブロック１〜６それぞれのＲＥ１および７）を、図５に示すように、シンボル番号１のＯＦＤＭシンボルを構成するサブキャリアインデックス１〜１２のサブキャリアにそれぞれ対応づける。例えば、図５に示すように、コードブロック１のＲＥ１および７は、シンボル番号１のＯＦＤＭシンボルのサブキャリアインデックス１および２のサブキャリアにそれぞれ対応付けられる。また、例えば、コードブロック２のＲＥ１および７は、シンボル番号１のＯＦＤＭシンボルのサブキャリアインデックス３および４のサブキャリアにそれぞれ対応付けられる。また、図５に示すシンボル番号２〜６のＯＦＤＭシンボルについても同様である。これにより、インタリーブ部１０３で時間領域においてインタリーブされた複数のＲＥが周波数領域に配置される。
【００５９】
次いで、シフト部１０８は、図５に示すＳ／Ｐ変換後のＯＦＤＭシンボルを、ＯＦＤＭシンボル毎に異なるシフト量でＯＦＤＭシンボル毎に周波数領域にシフトさせる。ここで、ＯＦＤＭシンボルを構成するサブキャリア数Ｎｓｕｂ＝１２であり、１スロットあたりの情報シンボル数（つまり、コードブロックが配置されるシンボル数）Ｎｓｙｍ＝６である。よって、式（１）により算出されるシフト量（サブキャリア数）は（ｎ−１）×２（＝（ｎ−１）×１２／６）サブキャリアとなる。また、Ｎｓｙｍ＝６であるので、ｎ＝１〜６となる。
【００６０】
よって、図６に示すように、シフト部１０８は、シンボル番号１（ｎ＝１）のＯＦＤＭシンボルにおいて、シフト量０（＝（１−１）×２）であるので、周波数シフトを与えない。また、シフト部１０８は、シンボル番号２（ｎ＝２）のＯＦＤＭシンボルにおいて、２（＝（２−１）×２）サブキャリアのシフト量を用いてＲＥをシフトさせ、シンボル番号３（ｎ＝３）のＯＦＤＭシンボルにおいて、４（＝（３−１）×２）サブキャリアのシフト量を用いてＲＥをシフトさせる。シンボル番号４〜６のＯＦＤＭシンボルにおいても同様である。
【００６１】
図６において、例えば、コードブロック１に着目すると、ＲＥ１および７が、シンボル番号１のＯＦＤＭシンボルのサブキャリアインデックス１および２のサブキャリアに配置され、ＲＥ２および８が、シンボル番号２のＯＦＤＭシンボルのサブキャリアインデックス３および４のサブキャリアに配置され、ＲＥ３および９が、シンボル番号３のＯＦＤＭシンボルのサブキャリアインデックス５および６のサブキャリアに配置され、ＲＥ４および１０が、シンボル番号４のＯＦＤＭシンボルのサブキャリアインデックス７および８のサブキャリアに配置され、ＲＥ５および１１が、シンボル番号５のＯＦＤＭシンボルのサブキャリアインデックス９および１０のサブキャリアに配置され、ＲＥ６および１２が、シンボル番号６のＯＦＤＭシンボルのサブキャリアインデックス１１および１２のサブキャリアに配置される。すなわち、図６に示すコードブロック１のＲＥ１〜１２は、シンボル番号１〜６のＯＦＤＭシンボルに渡って、サブキャリアインデックス１〜１２のサブキャリア全てに配置される。コードブロック２〜６についても同様である。つまり、シフト部１０８は、１スロットに渡って、複数のＲＥをコードブロック１〜６毎に周波数領域に均等に分散配置する。
【００６２】
そして、ＲＳ付加部１０９は、ＲＳ付加部１０５と同様にして、図７に示すように、１スロット内の中央に位置するシンボル番号４のＯＦＤＭシンボルにＲＳを付加する。すなわち、ＲＳ付加部１０９は、図６に示すシンボル番号４〜６のＯＦＤＭシンボルを図７に示すようにシンボル番号５〜７のＯＦＤＭシンボルにシフトし、図７に示すシンボル番号４のＯＦＤＭシンボルにＲＳを付加する。
【００６３】
以上により、図７に示すＯＦＤＭＡ信号では、コードブロック１〜６に分割された７２個のＲＥが、インタリーブ部１０３によって時間領域（シンボル番号１〜３のＯＦＤＭシンボルおよびシンボル番号５〜７のＯＦＤＭシンボル）に分散配置され、Ｓ／Ｐ変換部１０７およびシフト部１０８によってコードブロック毎に周波数領域（サブキャリアインデックス１〜１２のサブキャリア）に分散配置される。例えば、図７に示すように、コードブロック１は、時間領域では、シンボル番号１〜３のＯＦＤＭシンボルおよびシンボル番号５〜７のＯＦＤＭシンボルに２ＲＥずつ均等に配置され、周波数領域では、サブキャリアインデックス１〜１２のサブキャリアに１ＲＥずつ均等に配置される。よって、移動局１００がＯＦＤＭＡ通信を行う場合でも、時間ダイバーシチ効果および周波数ダイバーシチ効果の双方を得ることができる。
【００６４】
このように、移動局１００は、インタリーブ部１０３で得られるインタリーブ後のデータシンボル（図３に示すシンボル番号１〜６のシンボル）を、ＳＣ−ＦＤＭＡシンボルとしてそのまま用いる。一方、移動局１００は、インタリーブ部１０３で得られるインタリーブ後のデータシンボルを、Ｓ／Ｐ変換部１０７でＳ／Ｐ変換を行うことで、図５に示すＯＦＤＭシンボルとして用いる。つまり、移動局１００は、ＳＣ−ＦＤＭＡ通信およびＯＦＤＭＡ通信のいずれが行われる場合にも、それぞれのデータシンボルをインタリーブするためにインタリーブ部１０３を使用する。つまり、移動局１００では、ＳＣ−ＦＤＭＡ通信およびＯＦＤＭＡ通信でインタリーブ部１０３を共有することができる。
【００６５】
ただし、インタリーブ部１０３では、時間領域におけるインタリーブのみが行われるため、図５に示すようにＳ／Ｐ変換後のＲＥは、コードブロック毎に時間領域に万遍なく分散配置されているものの、周波数領域では一部のサブキャリアのみにしか配置されていない。そのため、移動局１００でＯＦＤＭＡ通信が行われる場合にのみ、インタリーブ後の複数のＲＥを、ＯＦＤＭシンボル毎に異なるシフト量でＯＦＤＭシンボル毎に周波数領域においてシフトさせる。これにより、移動局１００がＯＦＤＭＡ通信を行う場合でも、複数のＲＥがコードブロック毎に周波数領域に分散配置されるため、周波数ダイバーシチ効果が得られる。すなわち、ＯＦＤＭＡ通信においても、ＳＣ−ＦＤＭＡ通信と同様、時間ダイバーシチ効果および周波数ダイバーシチ効果の双方を得ることができる。また、Ｓ／Ｐ変換処理およびシフト処理という簡易な構成により、時間領域においてインタリーブされた複数のＲＥを周波数領域においても分散配置することができる。
【００６６】
このように、本実施の形態では、移動局は、ＳＣ−ＦＤＭＡ通信およびＯＦＤＭＡ通信のいずれが行われる場合にも、複数のＲＥを、双方で共有するインタリーバ（図１に示すインタリーブ部１０３）を用いて、複数のコードブロック間（すなわち、時間領域）においてインタリーブする。これにより、通信方式毎に時間ダイバーシチ効果を得るためのインタリーバを備えなくてよいため、移動局１００の回路規模の増大を抑えることができる。また、ＯＦＤＭＡ通信が行われる場合にのみ、移動局では、複数のＲＥをＯＦＤＭシンボル毎に異なるシフト量でＯＦＤＭシンボル毎に周波数領域においてシフトさせる。これにより、複数のＲＥがコードブロック毎に周波数領域に均等に分散配置されるため、ＯＦＤＭＡ通信においても周波数ダイバーシチ効果を得ることができる。つまり、ＳＣ−ＦＤＭＡ通信およびＯＦＤＭＡ通信の双方でインタリーバを共有しつつ、双方の通信方式で時間ダイバーシチ効果および周波数ダイバーシチ効果を得ることができる。また、移動局は、Ｓ／Ｐ変換処理および周波数シフト処理という簡易な構成のみで複数のＲＥを周波数領域に分散配置させるため、周波数ダイバーシチ効果を得るための移動局の回路規模の増大を最小限に抑えることができる。よって、本発明によれば、移動局が複数の通信方式に適応する場合でも、移動局の回路規模の増大を最小限に抑えつつ、各通信方式で同等のダイバーシチ効果を得ることができる。
【００６７】
（実施の形態２）
本実施の形態では、移動局は、ＯＦＤＭＡ通信が行われる場合にのみ、インタリーブ後の複数のＲＥを、複数のＲＥから成る複数のＯＦＤＭシンボルの時間領域における中心位置を基準にして複数のコードブロック毎に周波数領域に鏡像関係となるように配置する。
【００６８】
本実施の形態に係る移動局３００の構成を図８に示す。なお、図８において図１（実施の形態１）と同一の構成部には同一符号を付し、説明を省略する。
【００６９】
図８に示す移動局３００において、Ｓ／Ｐ変換部１０７およびミラーリング部３０１は、ＯＦＤＭＡ通信が行われる場合にのみ、インタリーブ後の複数のＲＥを複数のコードブロック毎に分散配置する配置手段として機能する。
【００７０】
ミラーリング部３０１は、ＯＦＤＭＡ通信で固有に使用される構成部である。ミラーリング部３０１は、Ｓ／Ｐ変換部１０７から入力されるＯＦＤＭシンボルに対してミラーリング処理を行う。具体的には、ミラーリング部３０１は、複数のＲＥを、複数のＯＦＤＭシンボルの時間領域における中心位置を基準にして複数のコードブロック毎に鏡像関係となるように配置する。そして、ミラーリング部３０１は、ミラーリング処理後のＯＦＤＭシンボルをＲＳ付加部１０９に出力する。
【００７１】
移動局３００のミラーリング部３０１におけるミラーリング処理の一例を図９に示す。以下の説明では、実施の形態１と同様、１スロットが７個のＯＦＤＭシンボルで構成される。また、送信データは、６個のコードブロック（コードブロック１〜６）に分割され、各コードブロックは、各コードブロック内でインタリーブ（サブブロック内インタリーブ）された１２個のＲＥ（ＲＥ１〜１２）で構成される。換言すると、送信データは７２個のＲＥで構成され、７２個のＲＥは６個のコードブロックに分割される。また、１スロット内の７シンボルのうち、１シンボルにＲＳが配置され、６シンボルにコードブロック１〜６が配置される。また、１つのＯＦＤＭシンボルは１２個のサブキャリア（サブキャリアインデックス１〜１２のサブキャリア）を含む。
【００７２】
ミラーリング部３０１は、図５に示すＯＦＤＭシンボルに対してミラーリング処理を行う。例えば、ミラーリング部３０１は、図５に示すコードブロック１〜６それぞれのＲＥ１〜１２を、シンボル番号１〜６のＯＦＤＭシンボルの時間領域における中心位置、すなわち、シンボル番号３のＯＦＤＭシンボルとシンボル番号４のＯＦＤＭシンボルとの境界位置を基準にして、コードブロック毎に鏡像関係となるように配置する。具体的には、図９に示すように、シンボル番号１〜３のＯＦＤＭシンボルでは、ミラーリング部３０１は、図５に示すシンボル番号１〜３のＯＦＤＭシンボルと同様にして、コードブロック１〜６それぞれのＲＥ１〜３およびＲＥ７〜９をサブキャリアインデックス１〜１２のサブキャリアに配置する。
【００７３】
これに対し、図９に示すシンボル番号４〜６のＯＦＤＭシンボルでは、ミラーリング部３０１は、コードブロック１のＲＥ４〜６およびＲＥ１０〜１２をサブキャリアインデックス１１および１２のサブキャリア（コードブロック１のＲＥ１〜３およびＲＥ７〜９が配置されたシンボル番号１〜３のＯＦＤＭシンボルのサブキャリアインデックス１および２のサブキャリアと鏡像関係となるサブキャリア）にそれぞれ配置する。同様に、図９に示すシンボル番号４〜６のＯＦＤＭシンボルでは、ミラーリング部３０１は、コードブロック２のＲＥ４〜６およびＲＥ１０〜１２をサブキャリアインデックス９および１０のサブキャリア（コードブロック２のＲＥ１〜３およびＲＥ７〜９が配置されたシンボル番号１〜３のＯＦＤＭシンボルのサブキャリアインデックス３および４のサブキャリアと鏡像関係となるサブキャリア）にそれぞれ配置する。コードブロック３〜６についても同様である。
【００７４】
図９に示すように、シンボル番号１〜３のＯＦＤＭシンボルでは、コードブロック１〜６のＲＥが、サブキャリアインデックス１のサブキャリアから昇順に配置される。これに対し、シンボル番号４〜６のＯＦＤＭシンボルでは、コードブロック１〜６のＲＥが、サブキャリアインデックス１２のサブキャリアから降順に配置される。つまり、コードブロック１〜６に分割された７２個のＲＥは、シンボル番号１〜３のＯＦＤＭシンボルとシンボル番号４〜６のＯＦＤＭシンボルとの間の位置（中心位置）を基準にしてコードブロック毎に鏡像関係となるサブキャリアにそれぞれ配置される。これにより、移動局３００は、複数のＲＥを、シンボル番号１〜６のＯＦＤＭシンボルに渡って、コードブロック毎に周波数領域に分散配置することができ、周波数ダイバーシチ効果を得ることができる。
【００７５】
また、ミラーリング部３０１は、Ｓ／Ｐ変換部１０７から入力されるＯＦＤＭシンボル（図５に示すシンボル番号１〜６のＯＦＤＭシンボル）のうち、一方のＯＦＤＭシンボル（図５に示すシンボル番号１〜３のＯＦＤＭシンボル）をそのままの状態にし、その一方のＯＦＤＭシンボルと鏡像関係となる他方のＯＦＤＭシンボル（図５に示すシンボル番号４〜６のＯＦＤＭシンボル）に対してのみミラーリング処理を施す。これにより、移動局３００は、実施の形態１におけるシフト処理と比較してより簡易な構成で周波数ダイバーシチ効果を得ることができる。
【００７６】
このようにして、本実施の形態によれば、ミラーリング処理を行うことで、複数のＲＥが複数のコードブロック毎に周波数領域に分散配置される。よって、本実施の形態によれば、実施の形態１と同様、複数の通信方式で同等のダイバーシチ効果を得ることができる。また、本実施の形態におけるミラーリング処理を行うことにより、実施の形態１におけるシフト処理と比較して簡易な構成で周波数ダイバーシチ効果を得ることができるため、実施の形態１の移動局の回路規模と比較して、移動局の回路規模の増大をさらに抑えることができる。
【００７７】
（実施の形態３）
本実施の形態では、移動局は、インタリーブ後の複数のＲＥを、複数のコードブロック毎に周波数領域にランダムに配置する。
【００７８】
本実施の形態に係る移動局４００の構成を図１０に示す。なお、図１０において図１（実施の形態１）と同一の構成部には同一符号を付し、説明を省略する。
【００７９】
図１０に示す移動局４００において、Ｓ／Ｐ変換部１０７およびランダマイズ部４０１は、ＯＦＤＭＡ通信が行われる場合にのみ、インタリーブ後の複数のＲＥを複数のコードブロック毎に分散配置する配置手段として機能する。
【００８０】
ランダマイズ部４０１は、ＯＦＤＭＡ通信で固有に使用される構成部である。ランダマイズ部４０１は、Ｓ／Ｐ変換部１０７から入力されるＯＦＤＭシンボルに対してランダマイズ処理を行う。具体的には、ランダマイズ部４０１は、複数のＲＥを、複数のコードブロック毎に周波数領域にランダムに配置する。そして、ランダマイズ部４０１は、ランダマイズ処理後のＯＦＤＭシンボルをＲＳ付加部１０９に出力する。
【００８１】
移動局４００のランダマイズ部４０１におけるランダマイズ処理の一例を図１１に示す。以下の説明では、実施の形態１と同様、１スロットが７個のＯＦＤＭシンボルで構成される。また、送信データは、６個のコードブロック（コードブロック１〜６）に分割される。また、各コードブロックは、各コードブロック内でインタリーブ（サブブロック内インタリーブ）された１２個のＲＥ（ＲＥ１〜１２）で構成される。換言すると、送信データは７２個のＲＥで構成され、７２個のＲＥは６個のコードブロックに分割される。また、１スロット内の７シンボルのうち、１シンボルにＲＳが配置され、６シンボルにコードブロック１〜６が配置される。また、１つのＯＦＤＭシンボルは１２個のサブキャリア（サブキャリアインデックス１〜１２のサブキャリア）を含む。
【００８２】
ランダマイズ部４０１は、図５に示すＯＦＤＭシンボルに対してランダマイズ処理を行う。例えば、ランダマイズ部４０１は、図５に示すシンボル番号１〜６のＯＦＤＭシンボルに配置された７２個のＲＥを、コードブロック１〜６毎に、サブキャリアインデックス１〜１２のサブキャリアにランダムに配置する。例えば、図１１に示すように、ランダマイズ部４０１は、コードブロック１に対して、ＲＥ１および７をシンボル番号１のＯＦＤＭシンボルのサブキャリアインデックス１および２のサブキャリアにそれぞれ配置し、ＲＥ２および８をシンボル番号２のＯＦＤＭシンボルのサブキャリアインデックス５および６のサブキャリアにそれぞれ配置し、ＲＥ３および９をシンボル番号３のＯＦＤＭシンボルのサブキャリアインデックス３および４のサブキャリアにそれぞれ配置し、ＲＥ４および１０をシンボル番号４のＯＦＤＭシンボルのサブキャリアインデックス７および８のサブキャリアにそれぞれ配置し、ＲＥ５および１１をシンボル番号５のＯＦＤＭシンボルのサブキャリアインデックス１１および１２のサブキャリアにそれぞれ配置し、ＲＥ６および１２をシンボル番号６のＯＦＤＭシンボルのサブキャリアインデックス９および１０のサブキャリアにそれぞれ配置する。コードブロック２〜６についても同様である。
【００８３】
このように、ランダマイズ部４０１は、７２個のＲＥを、シンボル番号１〜６のＯＦＤＭシンボルに渡って、コードブロック１〜６毎にサブキャリアインデックス１〜１２のサブキャリアにランダムに配置する。これにより、移動局４００は、複数のＲＥを、複数のコードブロック毎に周波数領域に分散配置することができる。すなわち、実施の形態１と同様、周波数ダイバーシチ効果を得ることができる。
【００８４】
このようにして、本実施の形態によれば、ＯＦＤＭシンボルを構成する複数のＲＥが、複数のコードブロック毎に周波数領域にランダムに分散配置されるため、実施の形態１と同様の効果を得ることができる。
【００８５】
なお、本実施の形態では、ランダマイズ処理の一例として図１１に示す配置例について説明したが、本発明におけるランダマイズ処理は、図１１に示す配置例に限らない。
【００８６】
（実施の形態４）
本実施の形態では、ＯＦＤＭＡ通信を行う場合、移動局は、インタリーブ後の複数のＲＥをコードブロック毎に１つのＯＦＤＭシンボルの周波数領域に分散配置する。
【００８７】
以下、具体的に説明する。以下の説明では、実施の形態１と同様、１スロットが７個のＯＦＤＭシンボルで構成される。また、送信データは、６個のコードブロック（コードブロック１〜６）に分割される。また、各コードブロックは、各コードブロック内でインタリーブ（サブブロック内インタリーブ）された１２個のＲＥ（ＲＥ１〜１２）で構成される。換言すると、送信データは７２個のＲＥで構成され、７２個のＲＥは６個のコードブロックに分割される。また、１スロット内の７シンボル（シンボル番号１〜７のＯＦＤＭシンボル）のうち、１ＯＦＤＭシンボル（シンボル番号４のＯＦＤＭシンボル）にＲＳが配置され、１スロット内の残りの６ＯＦＤＭシンボルにコードブロック１〜６が配置される。また、１つのＯＦＤＭシンボルは１２個のサブキャリア（サブキャリアインデックス１〜１２のサブキャリア）を含む。また、実施の形態１と同様、送信データのＣＰ部分は図示しない。
【００８８】
本実施の形態における移動局は、コードブロック１〜６に分割された７２個のＲＥを、コードブロック１〜６毎に１つのＯＦＤＭシンボルを構成するサブキャリアインデックス１〜１２のサブキャリアに分散配置する。つまり、複数のＲＥは、コードブロック単位で１つのＯＦＤＭシンボルに配置される。具体的には、図１２に示すように、コードブロック１のＲＥ１〜１２がシンボル番号１のＯＦＤＭシンボルのサブキャリアインデックス１〜１２のサブキャリアにそれぞれ配置される。同様に、コードブロック２のＲＥ１〜１２がシンボル番号２のＯＦＤＭシンボルのサブキャリアインデックス１〜１２のサブキャリアにそれぞれ配置される。コードブロック３〜６についても同様である。
【００８９】
図１２に示すように、コードブロック１〜６は、サブキャリアインデックス１〜１２のサブキャリア全てに分散配置される。このため、ＯＦＤＭＡ通信では、周波数ダイバーシチ効果を最大限得ることができる。
【００９０】
また、図１２に示すように、コードブロック１〜６は、コードブロック単位で１つのＯＦＤＭシンボルにまとまって配置される。これにより、基地局では、１スロット分のＯＦＤＭシンボルを受信しなくても、コードブロック単位での処理を順次行うことができる。
【００９１】
ここで、実施の形態１におけるＯＦＤＭＡ信号（図７）と本実施の形態におけるＯＦＤＭＡ信号（図１２）とを比較する。例えば、図７に示すＯＦＤＭＡ信号（実施の形態１）の場合、各コードブロックのＲＥがシンボル番号１〜３のＯＦＤＭシンボルおよびシンボル番号５〜７のＯＦＤＭシンボルに分散配置されている。このため、基地局では、最後尾のシンボル番号７のＯＦＤＭシンボルを受信するまでは、各コードブロックのすべてのＲＥの受信が完了しない。
【００９２】
これに対し、図１２に示すＯＦＤＭＡ信号の場合、基地局では、１つのＯＦＤＭシンボルを受信する度に１つのコードブロックのすべてのＲＥの受信が完了する。そのため、基地局は、例えば、図１２に示すシンボル番号１のＯＦＤＭシンボルを受信すればコードブロック１に対して処理を行うことができ、シンボル番号２のＯＦＤＭシンボルを受信すればコードブロック２に対して処理を行うことができる。シンボル番号３〜６のＯＦＤＭシンボルについても同様である。つまり、基地局では、各シンボルを受信する度に、コードブロックに対する処理を順次実施することが可能となる。換言すると、基地局は、パイプライン処理を行うことが可能となり、データ処理効率を向上することができる。
【００９３】
ただし、図１２に示すＯＦＤＭＡ信号に配置された各コードブロックは、１つのＯＦＤＭシンボルにまとまって配置されるため、時間ダイバーシチ効果を得ることができない。しかし、移動局が高速移動していない場合には、時間ダイバーシチ効果が得られなくても基地局では正常に信号を受信することができるため、システムに与える影響は小さい。
【００９４】
このようにして、本実施の形態によれば、移動局は、複数のＲＥを、複数のコードブロック毎に１つのＯＦＤＭシンボルの周波数領域に分散配置する。これにより、各コードブロックに対する周波数ダイバーシチ効果を優先的に得ることができる。また、移動局が１つのＯＦＤＭシンボルに１つのコードブロックをまとめて配置するため、基地局は１つのＯＦＤＭシンボルを受信する度に、１つのコードブロックの受信を完了することができ、コードブロックに対する処理を効率良く行うことができる。
【００９５】
以上、本発明の各実施の形態について説明した。
【００９６】
なお、上記実施の形態では、１スロットを構成する複数のシンボルのうち、中央に位置するシンボルにＲＳが配置される場合を一例として説明した。しかし、本発明では、ＲＳが配置される位置は、１スロット内の中央に位置するシンボルに限らない。
【００９７】
また、上記実施の形態では、１スロットを構成する複数のシンボルのうち、１つのシンボルにＲＳが配置される場合を一例として説明した。しかし、本発明では、例えば、ＯＦＤＭＡ通信を行う場合、ＯＦＤＭシンボルの一部のサブキャリアにＲＳが配置された複数のＯＦＤＭシンボルを定義してもよい。
【００９８】
また、上記実施の形態では、移動局が上り回線で送信する信号（すなわち、基地局が上り回線で受信する信号）がＳＣ−ＦＤＭＡまたはＯＦＤＭＡで伝送される場合について説明した。しかし、本発明は、移動局が上り回線で送信する信号は、ＳＣ−ＦＤＭＡおよびＯＦＤＭＡ以外の通信方式で伝送されてもよい。
【００９９】
また、上記実施の形態では、ＯＦＤＭＡ通信が行われる場合、時間領域で順に配置されたデータシンボルがＳ／Ｐ変換部のＳ／Ｐ変換処理により周波数領域のサブキャリアに配置される場合について説明した。しかし、Ｓ／Ｐ変換処理はデータシンボルを周波数領域のサブキャリアに配置するための簡易な処理の一例である。よって、本発明では、ＯＦＤＭＡ通信が行われる場合に、時間領域で順に配置されたデータシンボルを周波数領域に配置するための処理は、Ｓ／Ｐ処理に限られない。
【０１００】
また、移動局はＵＥ、基地局はＮｏｄｅ Ｂと称されることもある。
【０１０１】
また、上記実施の形態では、本発明をハードウェアで構成する場合を例にとって説明したが、本発明はソフトウェアで実現することも可能である。
【０１０２】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１０３】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１０４】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１０５】
２００８年５月２３日出願の特願２００８−１３５５６８の日本出願に含まれる明細書、図面および要約書の開示内容は、すべて本願に援用される。
【産業上の利用可能性】
【０１０６】
本発明は、移動体通信システム等に適用することができる。
【図１】
2009142025.tif 000003
【図２】
2009142025.tif 000004
【図３】
2009142025.tif 000005
【図４】
2009142025.tif 000006
【図５】
2009142025.tif 000007
【図６】
2009142025.tif 000008
【図７】
2009142025.tif 000009
【図８】
2009142025.tif 000010
【図９】
2009142025.tif 000011
【図１０】
2009142025.tif 000012
【図１１】
2009142025.tif 000013
【図１２】
2009142025.tif 000014
【手続補正書】
【提出日】平成22年8月19日(2010.8.19)
【手続補正１】
【補正対象書類名】明細書
【補正対象項目名】全文
【補正方法】変更
【補正の内容】
【発明の詳細な説明】
【技術分野】
【０００１】
本発明は、無線通信移動局装置およびリソースエレメント分散配置方法に関する。
【背景技術】
【０００２】
３ＧＰＰ  ＲＡＮ  ＬＴＥ(3rd Generation Partnership Project Radio Access Network Long Term Evolution)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１参照）。
【０００３】
また、ＬＴＥの発展形であるＬＴＥ−Ａｄｖａｎｃｅｄでは、上り回線リソースの利用効率向上のため、移動局が複数の送信データを複数のアンテナにより同時に同一の周波数リソースを用いて送信し、基地局が空間多重された複数の信号を分離する空間分割多重（ＳＤＭ：Space Division Multiple）技術の適用が考えられる。ＳＤＭ技術を適用することで、上り回線における周波数利用効率を向上することが可能となる。
【０００４】
しかし、ＳＣ−ＦＤＭＡ等のシングルキャリア通信方式とＳＤＭ技術との組み合わせは、ＯＦＤＭＡ等のマルチキャリア通信方式とＳＤＭ技術との組み合わせと比較して受信特性が悪くなってしまう（例えば、非特許文献２参照）。そこで、ＬＴＥ−Ａｄｖａｎｃｅｄでは、上り回線の通信方式として、ＳＣ−ＦＤＭＡに加え、ＯＦＤＭＡも採用することが検討されている。
【０００５】
また、移動局は、符号化利得を効率良く得るために、符号化後の送信データをインタリーブする。例えば、移動局は、符号化後の送信データに対して、時間領域でインタリーブ処理を行うことで、時間ダイバーシチ効果を得ることができ、周波数領域でインタリーブ処理を行うことで、周波数ダイバーシチ効果を得ることができる。
【先行技術文献】
【非特許文献】
【０００６】
【非特許文献１】3GPP TS 36.211 V8.1.0, “Physical Channels and Modulation (Release 8),” Nov. 2007
【非特許文献２】樋口，川本，川合，前田，佐和橋，“ＯＦＤＭとＤＳ−ＣＤＭＡ無線アクセスのＭＩＭＯ多重パケット伝送を用いたときのマルチパスフェージングチャネルにおける特性比較”，信学技報CS2004-188，RCS2004-295，pp.31-36，2005年1月（K.Higuchi, J.Kawamoto, H.Kawai, N.Maeda, M.Sawahashi, "Performance Comparisons Between OFDM and DS-CDMA Radio Access Using MIMO Multiplexing in Multi-path Fading Channels", IEICE technical report CS2004-188, RSC2004-295, pp.31-36, Jan. 2005）
【発明の概要】
【発明が解決しようとする課題】
【０００７】
移動局は、符号化後の送信データをインタリーブする場合、送信データの伝送に用いる通信方式に適したインタリーブを行う。
【０００８】
例えば、ＳＣ−ＦＤＭＡでは、１つのＳＣ−ＦＤＭＡシンボルが複数の時間連続信号（Time-continuous signal）で構成され、各時間連続信号はすべての周波数リソースを占有する。よって、ＳＣ−ＦＤＭＡでは、周波数領域でのインタリーブ処理が行われなくても周波数ダイバーシチ効果を得ることができる。そこで、ＳＣ−ＦＤＭＡでは、移動局は時
間ダイバーシチ効果を得るために、時間領域でのインタリーブを行う。つまり、ＳＣ−ＦＤＭＡでは、時間領域でのインタリーブ処理のみで、時間ダイバーシチ効果および周波数ダイバーシチ効果の双方を得ることができる。
【０００９】
これに対し、ＯＦＤＭＡでは、１つのＯＦＤＭシンボルが複数のサブキャリアで構成される。ここで、各サブキャリアは周波数リソースの一部のみしか占有しない。そのため、ＯＦＤＭＡでは、時間ダイバーシチ効果および周波数ダイバーシチ効果の双方を得るためには、時間領域および周波数領域双方でのインタリーブを行う必要ある。
【００１０】
よって、上り回線の通信方式としてＳＣ−ＦＤＭＡとＯＦＤＭＡの双方が採用されて移動局がＳＣ−ＦＤＭＡとＯＦＤＭＡの双方の通信方式に適応するためには、移動局はそれぞれの通信方式に適したインタリーバを有しなければならない。しかし、これでは、移動局の回路規模が増大してしまう。
【００１１】
本発明の目的は、移動局が複数の通信方式に適応する場合でも、移動局の回路規模の増大を最小限に抑えつつ、各通信方式で同等のダイバーシチ効果を得ることができる無線通信移動局装置およびリソースエレメント（ＲＥ：Resource Element）分散配置方法を提供することである。
【課題を解決するための手段】
【００１２】
本発明の無線通信移動局装置は、シングルキャリア通信またはマルチキャリア通信のいずれかを行う無線通信移動局装置であって、前記シングルキャリア通信および前記マルチキャリア通信のいずれが行われる場合にも、複数のコードブロックに分割される複数のリソースエレメントを前記複数のコードブロック間においてインタリーブするインタリーブ手段と、前記マルチキャリア通信が行われる場合にのみ、インタリーブ後の前記複数のリソースエレメントを前記複数のコードブロック毎に周波数領域に分散配置する配置手段と、を具備する構成を採る。
【発明の効果】
【００１３】
本発明によれば、移動局が複数の通信方式に適応する場合でも、移動局の回路規模の増大を最小限に抑えつつ、各通信方式で同等のダイバーシチ効果を得ることができる。
【図面の簡単な説明】
【００１４】
【図１】本発明の実施の形態１に係る移動局の構成を示すブロック図
【図２】本発明の実施の形態１に係る基地局の構成を示すブロック図
【図３】本発明の実施の形態１に係るインタリーブ処理を示す図
【図４】本発明の実施の形態１に係るＳＣ−ＦＤＭＡ信号を示す図
【図５】本発明の実施の形態１に係るＳ／Ｐ変換処理を示す図
【図６】本発明の実施の形態１に係る周波数シフト処理を示す図
【図７】本発明の実施の形態１に係るＯＦＤＭＡ信号を示す図
【図８】本発明の実施の形態２に係る移動局の構成を示すブロック図
【図９】本発明の実施の形態２に係るミラーリング処理を示す図
【図１０】本発明の実施の形態３に係る移動局の構成を示すブロック図
【図１１】本発明の実施の形態３に係るランダマイズ処理を示す図
【図１２】本発明の実施の形態４に係るＯＦＤＭＡ信号を示す図
【発明を実施するための形態】
【００１５】
以下、本発明の実施の形態について、添付図面を参照して詳細に説明する。以下の説明では、移動局が上り回線で送信するデータ（すなわち、基地局が上り回線で受信するデータ）はＳＣ−ＦＤＭＡまたはＯＦＤＭＡで伝送される。すなわち、移動局では、シングル
キャリア通信（ＳＣ−ＦＤＭＡ通信）、または、マルチキャリア通信（ＯＦＤＭＡ通信）のいずれかが行われる。
【００１６】
（実施の形態１）
本実施の形態に係る移動局１００の構成を図１に示し、本実施の形態に係る基地局２００の構成を図２に示す。
【００１７】
なお、説明が煩雑になることを避けるために、図１では、本発明と密接に関連する上り回線データの送信、および、制御情報の下り回線での受信に係わる構成部を示し、下り回線データの受信に係わる構成部の図示および説明を省略する。同様に、図２では、本発明と密接に関連する上り回線データの受信、および、制御情報の下り回線での送信に係わる構成部を示し、下り回線データの送信に係わる構成部の図示および説明を省略する。
【００１８】
また、基地局２００から移動局１００に送信される制御情報には、上り回線データが割り当てられる送信用リソースを示すＲＢ割当情報、および、ＳＣ−ＦＤＭＡ通信およびＯＦＤＭＡ通信の通信方式の切り替え指示を示す通信方式切替指示情報が含まれる。例えば、通信方式切替指示情報には、ＳＣ−ＦＤＭＡ通信およびＯＦＤＭＡ通信のうち、移動局１００が使用する通信方式が示される。
【００１９】
また、図１のＲＳ（Reference Signal：参照信号）付加部１０５、ＤＦＴ（Discrete Fourier Transform）部１０６および図２のＩＤＦＴ（Inverse Discrete Fourier Transform）部２０８は、ＳＣ−ＦＤＭＡ通信で固有に使用される構成部である。同様に、図１のＳ／Ｐ（serial/Parallel）変換部１０７、シフト部１０８およびＲＳ付加部１０９、図２のシフト部２０９およびＰ／Ｓ（Parallel/serial）変換部２１０は、ＯＦＤＭＡ通信で固有に使用される構成部である。
【００２０】
図１に示す移動局１００において、符号化部１０１には、送信データ（上り回線データ）が入力される。ここで、送信データは、符号化単位であるコードブロックに分割され、複数のコードブロックで構成される。さらに、各コードブロックは複数のＲＥで構成される。換言すると、送信データを構成する複数のＲＥは、複数のコードブロックに分割される。符号化部１０１は、例えばＣＲＣ（Cyclic Redundancy Check）符号等の誤り検出符号を用いて、各コードブロックを符号化する。また、符号化部１０１は、各コードブロック内の複数のＲＥに対してインタリーブ（サブブロック内インタリーブ）を行う。そして、符号化部１０１は、符号化後の送信データを変調部１０２に出力する。
【００２１】
変調部１０２は、符号化部１０１から入力される送信データを変調して、データシンボルを生成する。そして、変調部１０２は、生成されたデータシンボルをインタリーブ部１０３に出力する。
【００２２】
インタリーブ部１０３は、ＳＣ−ＦＤＭＡ通信およびＯＦＤＭＡ通信のいずれが行われる場合にも、変調部１０２から入力されるデータシンボル（ＳＣ−ＦＤＭＡシンボルまたはＯＦＤＭシンボル）をコードブロック間においてインタリーブする。具体的には、インタリーブ部１０３は、ＳＣ−ＦＤＭＡ通信およびＯＦＤＭＡ通信のいずれが行われる場合にも、データシンボル、すなわち、複数のコードブロックに分割される複数のＲＥを複数のコードブロック間においてインタリーブする。つまり、インタリーブ部１０３は、複数のＲＥを、時間領域においてインタリーブする。例えば、インタリーブ部１０３は、複数のＲＥのうち隣接するＲＥ同士が互いに異なるＳＣ−ＦＤＭＡシンボルまたは互いに異なるＯＦＤＭシンボルに配置されるように、複数のＲＥを時間領域で並び替えることでインタリーブ処理を行う。そして、インタリーブ部１０３は、インタリーブ後のデータシンボルをスイッチ１０４に出力する。
【００２３】
スイッチ１０４は、復号部１１７から入力される通信方式切替指示情報に従って、ＲＳ付加部１０５との接続と、Ｓ／Ｐ変換部１０７との接続とを切り替える。具体的には、スイッチ１０４は、通信方式切替指示情報に示される通信方式がＳＣ−ＦＤＭＡ通信である場合、ＲＳ付加部１０５と接続することで、インタリーブ部１０３から入力されるデータシンボルをＲＳ付加部１０５に出力する。一方、スイッチ１０４は、通信方式切替指示情報に示される通信方式がＯＦＤＭＡ通信である場合、Ｓ／Ｐ変換部１０７と接続することで、インタリーブ部１０３から入力されるデータシンボルをＳ／Ｐ変換部１０７に出力する。
【００２４】
ＲＳ付加部１０５は、スイッチ１０４から入力されるデータシンボル（すなわち、ＳＣ−ＦＤＭＡシンボル）にＲＳを時間多重で付加する。そして、ＲＳ付加部１０５は、ＲＳ付加後の信号（ＳＣ−ＦＤＭＡ信号）をＤＦＴ部１０６に出力する。
【００２５】
ＤＦＴ部１０６は、ＲＳ付加部１０５から入力されるＳＣ−ＦＤＭＡ信号にＤＦＴ処理を施し、時間領域の信号を周波数領域の信号に変換する。そして、ＤＦＴ部１０６は、ＤＦＴ後のＳＣ−ＦＤＭＡ信号をマッピング部１１０に出力する。
【００２６】
一方、Ｓ／Ｐ変換部１０７は、スイッチ１０４から直列に入力されるデータシンボルを並列に変換する。具体的には、Ｓ／Ｐ変換部１０７は、直列に入力されるデータシンボルを、ＯＦＤＭシンボルを構成する複数のサブキャリアに対応付けることでＯＦＤＭシンボルを生成する。すなわち、Ｓ／Ｐ変換部１０７は、インタリーブ部１０３で時間領域においてインタリーブされた複数のＲＥを、周波数領域に軸変換してＯＦＤＭシンボルを生成する。そして、Ｓ／Ｐ変換部１０７は、ＯＦＤＭシンボルをシフト部１０８に出力する。
【００２７】
シフト部１０８は、Ｓ／Ｐ変換部１０７から入力されるＯＦＤＭシンボルを、ＯＦＤＭシンボル毎に異なるシフト量でＯＦＤＭ毎に周波数領域においてシフトさせる。例えば、シフト部１０８は、シンボル番号ｎのＯＦＤＭシンボルにおいて、次式（１）により算出されるシフト量（サブキャリア数）を用いる。
シフト数＝（ｎ−１）×Ｎｓｕｂ／Ｎｓｙｍ      （１）
【００２８】
ここで、Ｎｓｕｂは、ＯＦＤＭＡ通信に用いられるサブキャリア数を示し、Ｎｓｙｍは、１スロットあたりのＯＦＤＭシンボル数のうち、送信データが割り当てられる情報シンボルの数を示す。また、シンボル番号ｎ＝１〜Ｎｓｙｍとする。つまり、シンボル番号ｎのＯＦＤＭシンボルを構成する複数のＲＥは、上式（１）により算出されるシフト量（サブキャリア数）でシフトする。そして、シフト部１０８は、周波数シフト後のＯＦＤＭシンボルをＲＳ付加部１０９に出力する。
【００２９】
ＲＳ付加部１０９は、ＲＳ付加部１０５と同様にして、シフト部１０８から入力されるＯＦＤＭシンボルにＲＳを時間多重で付加する。そして、ＲＳ付加部１０９は、ＲＳ付加後の信号（ＯＦＤＭＡ信号）をマッピング部１１０に出力する。
【００３０】
マッピング部１１０は、復号部１１７から入力されるＲＢ割当情報に従って、ＤＦＴ部１０６から入力されるＳＣ−ＦＤＭＡ信号、または、ＲＳ付加部１０９から入力されるＯＦＤＭＡ信号を、サブキャリアにマッピングする。そして、マッピング部１１０は、サブキャリアにマッピングされた信号をＩＤＦＴ部１１１に出力する。
【００３１】
ＩＤＦＴ部１１１は、マッピング部１１０から入力される信号にＩＤＦＴ処理を施し、ＩＤＦＴ後の信号をＣＰ（Cyclic Prefix）付加部１１２に出力する。
【００３２】
ＣＰ付加部１１２は、ＩＤＦＴ部１１１から入力される信号の後尾部分と同じ信号をＣＰとして信号の先頭に付加する。
【００３３】
無線送信部１１３は、ＣＰ付加部１１２から入力される信号に対しＤ／Ａ変換、増幅およびアップコンバート等の送信処理を行って、送信処理後の信号をアンテナ１１４から基地局２００（図２）へ送信する。
【００３４】
一方、無線受信部１１５は、基地局２００（図２）から送信された制御情報をアンテナ１１４を介して受信し、この制御情報に対しダウンコンバート、Ａ／Ｄ変換等の受信処理を行う。無線受信部１１５は、受信処理後の制御情報を復調部１１６に出力する。
【００３５】
復調部１１６は、無線受信部１１５から入力される制御情報を復調し、復調後の制御情報を復号部１１７に出力する。
【００３６】
復号部１１７は、復調部１１６から入力される制御情報を復号し、復号後の制御情報のうち、ＲＢ割当情報をマッピング部１１０に出力し、通信方式切替指示情報をスイッチ１０４に出力する。
【００３７】
次に、図２に示す基地局２００において、無線受信部２０２は、移動局１００（図１）から送信された信号（ＳＣ−ＦＤＭＡ信号またはＯＦＤＭＡ信号）をアンテナ２０１を介して受信し、この受信信号に対しダウンコンバート、Ａ／Ｄ変換等の受信処理を行う。無線受信部２０２は、受信処理後の受信信号をＣＰ除去部２０３に出力する。
【００３８】
ＣＰ除去部２０３は、受信処理後の受信信号からＣＰを除去する。
【００３９】
ＤＦＴ部２０４は、ＣＰ除去部２０３から入力される受信信号にＤＦＴ処理を施し、時間領域の信号を周波数領域の信号に変換する。そして、ＤＦＴ部２０４は、ＤＦＴ後の信号、すなわち、周波数領域の信号を分離部２０５に出力する。
【００４０】
分離部２０５は、ＤＦＴ部２０４から入力される信号を、データ信号とＲＳとに分離する。そして、分離部２０５は、ＲＳを推定部２０６に出力し、データ信号を周波数領域等化部２０７に出力する。
【００４１】
推定部２０６は、分離部２０５から入力されるＲＳを用いて伝搬路推定を行う。そして、推定部２０６は、推定結果を示す伝搬路情報を周波数領域等化部２０７に出力する。
【００４２】
周波数領域等化部２０７は、推定部２０６から入力される伝搬路情報を用いて、分離部２０５から入力されるデータ信号に対して周波数領域等化を行う。そして、周波数領域等化部２０７は、入力される制御情報に従って、周波数領域等化後のデータ信号をＩＤＦＴ部２０８またはシフト部２０９に出力する。具体的には、制御情報に含まれる通信方式切替指示情報に示される通信方式がＳＣ−ＦＤＭＡ通信の場合、周波数領域等化部２０７は、データ信号（すなわち、ＳＣ−ＦＤＭＡ信号）をＩＤＦＴ部２０８に出力する。一方、制御情報に含まれる通信方式切替指示情報に示される通信方式がＯＦＤＭＡ通信である場合、周波数領域等化部２０７は、データ信号（すなわち、ＯＦＤＭＡ信号）をシフト部２０９に出力する。
【００４３】
ＩＤＦＴ部２０８は、周波数領域等化部２０７から入力されるＳＣ−ＦＤＭＡ信号にＩＤＦＴ処理を施し、周波数領域の信号を時間領域の信号に変換する。そして、ＩＤＦＴ部２０８は、時間領域のＳＣ−ＦＤＭＡ信号を順にスイッチ２１１に出力する。
【００４４】
一方、シフト部２０９は、周波数領域等化部２０７から入力されるＯＦＤＭＡ信号を、移動局１００のシフト部１０８（図１）でＯＦＤＭシンボルをシフトさせたシフト量と逆の特性のシフト量でシフトさせる。例えば、シフト部２０９は、ＯＦＤＭＡ信号に含まれるシンボル番号ｎのＯＦＤＭシンボルにおいて、式（１）により算出されるシフト量（サブキャリア数）と同一のシフト量であり、かつ、シフト部１０８とは逆方向のシフト量を用いる。そして、シフト部２０９は、シフト後のＯＦＤＭＡ信号をＰ／Ｓ変換部２１０に出力する。
【００４５】
Ｐ／Ｓ変換部２１０は、シフト部２０９から入力されるＯＦＤＭＡ信号、すなわち、周波数領域に複数のＲＥが配置された信号を直列に変換する。そして、Ｐ／Ｓ変換部２１０は、周波数領域に配置された複数のＲＥを、順にスイッチ２１１に出力する。
【００４６】
スイッチ２１１は、入力される制御情報に含まれる通信方式切替指示情報に従って、ＩＤＦＴ部２０８との接続と、Ｐ／Ｓ変換部２１０との接続とを切り替える。具体的には、スイッチ２１１は、通信方式切替指示情報に示される通信方式がＳＣ−ＦＤＭＡ通信である場合、ＩＤＦＴ部２０８と接続することで、ＩＤＦＴ部２０８から入力されるＳＣ−ＦＤＭＡ信号をデインタリーブ部２１２に出力する。一方、スイッチ２１１は、通信方式切替指示情報に示される通信方式がＯＦＤＭＡ通信である場合、Ｐ／Ｓ変換部２１０と接続することで、Ｐ／Ｓ変換部２１０から入力されるＯＦＤＭＡ信号をデインタリーブ部２１２に出力する。
【００４７】
デインタリーブ部２１２は、スイッチ２１１から入力されるデータ信号（ＳＣ−ＦＤＭＡ信号またはＯＦＤＭＡ信号）をデインタリーブする。具体的には、デインタリーブ部２１２は、ＳＣ−ＦＤＭＡ通信およびＯＦＤＭＡ通信のいずれが行われる場合にも、移動局１００のインタリーブ部１０３（図１）と同一のインタリーブパターンを用いてデインタリーブ処理を行う。そして、デインタリーブ部２１２は、デインタリーブ後のデータ信号を復調部２１３に出力する。すなわち、デインタリーブ部２１２では、インタリーブ部１０３（図１）と同様、ＳＣ−ＦＤＭＡ通信およびＯＦＤＭＡ通信の双方のデータ信号に対して共通のデインタリーブ処理を行う。
【００４８】
復調部２１３は、デインタリーブ部２１２から入力されるデータ信号を復調し、復調後のデータ信号を復号部２１４に出力する。
【００４９】
復号部２１４は、復調部２１３から入力されるデータ信号を復号し、復号後のデータ信号を受信データとして出力する。
【００５０】
一方、符号化部２１５は、入力される制御情報を符号化し、符号化後の制御情報を変調部２１６に出力する。
【００５１】
変調部２１６は、符号化部２１５から入力される制御情報を変調し、変調後の制御情報を無線送信部２１７に出力する。
【００５２】
無線送信部２１７は、変調部２１６から入力される制御情報に対しＤ／Ａ変換、増幅およびアップコンバート等の送信処理を行って、送信処理後の制御情報をアンテナ２０１から移動局１００（図１）へ送信する。
【００５３】
次に、本実施の形態の移動局１００におけるＳＣ−ＦＤＭＡ通信処理およびＯＦＤＭＡ通信処理の詳細について説明する。ここでは、１スロットが、７個のＳＣ−ＦＤＭＡシンボルまたは７個のＯＦＤＭシンボルで構成される。また、送信データは、６個のコードブロック（コードブロック１〜６）に分割される。また、各コードブロックは、各コードブ
ロック内でインタリーブ（サブブロック内インタリーブ）された１２個のＲＥ（ＲＥ１〜１２）で構成される。換言すると、送信データは７２個のＲＥで構成され、７２個のＲＥは６個のコードブロックに分割される。また、１スロット内の７シンボル（シンボル番号１〜７のシンボル）のうち、１シンボルにＲＳが配置され、１スロット内の残りの６シンボルにコードブロック１〜６が配置される。つまり、１スロット内の情報シンボル数Ｎｓｙｍは、６シンボルとなる。ここでは、ＲＳは、１スロット内の中央に位置するシンボル番号４のシンボルに配置される。また、１つのＳＣ−ＦＤＭＡシンボルは、１２個の時間連続信号を含む。また、１つのＯＦＤＭシンボルは１２個のサブキャリア（サブキャリアインデックス１〜１２のサブキャリア）を含む。また、説明を簡略するため、以下の説明では、送信データのＣＰ部分は図示しない。
【００５４】
まず、インタリーブ部１０３は、各コードブロックに分割されたＲＥをコードブロック１〜６間においてインタリーブする。具体的には、図３に示すように、インタリーブ部１０３は、コードブロック１〜６それぞれのＲＥ１〜１２を、シンボル番号１〜６のシンボルを構成する時間連続信号のいずれかに配置する。例えば、図３に示すように、インタリーブ部１０３は、コードブロック１のＲＥ１および７を、シンボル番号１のシンボル内の時間連続信号に配置し、コードブロック１のＲＥ２および８を、シンボル番号２のシンボル内の時間連続信号に配置し、コードブロック１のＲＥ３および９を、シンボル番号３のシンボル内の時間連続信号に配置し、コードブロック１のＲＥ４および１０を、シンボル番号４のシンボル内の時間連続信号に配置し、コードブロック１のＲＥ５および１１を、シンボル番号５のシンボル内の時間連続信号に配置し、コードブロック１のＲＥ６および１２を、シンボル番号６のシンボル内の時間連続信号に配置する。コードブロック２〜６についても同様である。
【００５５】
次いで、移動局１００がＳＣ−ＦＤＭＡ通信を行う場合（通信方式切替指示情報に示される通信方式がＳＣ−ＦＤＭＡ通信である場合）、ＲＳ付加部１０５は、図４に示すように、１スロット内の中央に位置するシンボル番号４のＳＣ−ＦＤＭＡシンボルにＲＳを付加する。すなわち、ＲＳ付加部１０５は、インタリーブ部１０３から入力される、図３に示すシンボル番号４〜６のＳＣ−ＦＤＭＡシンボルを、図４に示すように、シンボル番号５〜７のＳＣ−ＦＤＭＡシンボルにシフトし、図４に示すシンボル番号４のＳＣ−ＦＤＭＡシンボルにＲＳを付加する。
【００５６】
以上により、図４に示すＳＣ−ＦＤＭＡ信号では、コードブロック１〜６に分割された７２個の各ＲＥが時間領域（シンボル番号１〜３のＳＣ−ＦＤＭＡシンボルおよびシンボル番号５〜７のＳＣ−ＦＤＭＡシンボル）で分散配置される。よって、ＲＳがスロットの中央（図４に示すシンボル番号４のＳＣ−ＦＤＭＡシンボル）に位置する場合でも、各ＳＣ−ＦＤＭＡシンボル（図４に示すシンボル番号１〜７のＳＣ−ＦＤＭＡシンボル）間での伝搬路推定精度のばらつきによる影響が、コードブロック１〜６間で均一化される。換言すると、ＳＣ−ＦＤＭＡ通信を行う際、時間ダイバーシチ効果が得られる。また、図４に示すように、各時間連続信号は、周波数リソースをすべて占有するため、周波数ダイバーシチ効果が得られる。
【００５７】
一方、移動局１００がＯＦＤＭＡ通信を行う場合（通信方式切替指示情報に示される通信方式がＯＦＤＭＡ通信である場合）、Ｓ／Ｐ変換部１０７およびシフト部１０８は、インタリーブ後の複数のＲＥを複数のコードブロック毎に周波数領域に分散配置する配置手段として機能する。
【００５８】
Ｓ／Ｐ変換部１０７は、図３に示すシンボル番号１〜６のシンボルを構成するＲＥを、ＯＦＤＭシンボルを構成するサブキャリア単位毎に並列に変換する。具体的には、Ｓ／Ｐ変換部１０７は、図３に示すシンボル番号１のシンボルを構成する１２ＲＥ（コードブロ
ック１〜６それぞれのＲＥ１および７）を、図５に示すように、シンボル番号１のＯＦＤＭシンボルを構成するサブキャリアインデックス１〜１２のサブキャリアにそれぞれ対応づける。例えば、図５に示すように、コードブロック１のＲＥ１および７は、シンボル番号１のＯＦＤＭシンボルのサブキャリアインデックス１および２のサブキャリアにそれぞれ対応付けられる。また、例えば、コードブロック２のＲＥ１および７は、シンボル番号１のＯＦＤＭシンボルのサブキャリアインデックス３および４のサブキャリアにそれぞれ対応付けられる。また、図５に示すシンボル番号２〜６のＯＦＤＭシンボルについても同様である。これにより、インタリーブ部１０３で時間領域においてインタリーブされた複数のＲＥが周波数領域に配置される。
【００５９】
次いで、シフト部１０８は、図５に示すＳ／Ｐ変換後のＯＦＤＭシンボルを、ＯＦＤＭシンボル毎に異なるシフト量でＯＦＤＭシンボル毎に周波数領域にシフトさせる。ここで、ＯＦＤＭシンボルを構成するサブキャリア数Ｎｓｕｂ＝１２であり、１スロットあたりの情報シンボル数（つまり、コードブロックが配置されるシンボル数）Ｎｓｙｍ＝６である。よって、式（１）により算出されるシフト量（サブキャリア数）は（ｎ−１）×２（＝（ｎ−１）×１２／６）サブキャリアとなる。また、Ｎｓｙｍ＝６であるので、ｎ＝１〜６となる。
【００６０】
よって、図６に示すように、シフト部１０８は、シンボル番号１（ｎ＝１）のＯＦＤＭシンボルにおいて、シフト量０（＝（１−１）×２）であるので、周波数シフトを与えない。また、シフト部１０８は、シンボル番号２（ｎ＝２）のＯＦＤＭシンボルにおいて、２（＝（２−１）×２）サブキャリアのシフト量を用いてＲＥをシフトさせ、シンボル番号３（ｎ＝３）のＯＦＤＭシンボルにおいて、４（＝（３−１）×２）サブキャリアのシフト量を用いてＲＥをシフトさせる。シンボル番号４〜６のＯＦＤＭシンボルにおいても同様である。
【００６１】
図６において、例えば、コードブロック１に着目すると、ＲＥ１および７が、シンボル番号１のＯＦＤＭシンボルのサブキャリアインデックス１および２のサブキャリアに配置され、ＲＥ２および８が、シンボル番号２のＯＦＤＭシンボルのサブキャリアインデックス３および４のサブキャリアに配置され、ＲＥ３および９が、シンボル番号３のＯＦＤＭシンボルのサブキャリアインデックス５および６のサブキャリアに配置され、ＲＥ４および１０が、シンボル番号４のＯＦＤＭシンボルのサブキャリアインデックス７および８のサブキャリアに配置され、ＲＥ５および１１が、シンボル番号５のＯＦＤＭシンボルのサブキャリアインデックス９および１０のサブキャリアに配置され、ＲＥ６および１２が、シンボル番号６のＯＦＤＭシンボルのサブキャリアインデックス１１および１２のサブキャリアに配置される。すなわち、図６に示すコードブロック１のＲＥ１〜１２は、シンボル番号１〜６のＯＦＤＭシンボルに渡って、サブキャリアインデックス１〜１２のサブキャリア全てに配置される。コードブロック２〜６についても同様である。つまり、シフト部１０８は、１スロットに渡って、複数のＲＥをコードブロック１〜６毎に周波数領域に均等に分散配置する。
【００６２】
そして、ＲＳ付加部１０９は、ＲＳ付加部１０５と同様にして、図７に示すように、１スロット内の中央に位置するシンボル番号４のＯＦＤＭシンボルにＲＳを付加する。すなわち、ＲＳ付加部１０９は、図６に示すシンボル番号４〜６のＯＦＤＭシンボルを図７に示すようにシンボル番号５〜７のＯＦＤＭシンボルにシフトし、図７に示すシンボル番号４のＯＦＤＭシンボルにＲＳを付加する。
【００６３】
以上により、図７に示すＯＦＤＭＡ信号では、コードブロック１〜６に分割された７２個のＲＥが、インタリーブ部１０３によって時間領域（シンボル番号１〜３のＯＦＤＭシンボルおよびシンボル番号５〜７のＯＦＤＭシンボル）に分散配置され、Ｓ／Ｐ変換部１
０７およびシフト部１０８によってコードブロック毎に周波数領域（サブキャリアインデックス１〜１２のサブキャリア）に分散配置される。例えば、図７に示すように、コードブロック１は、時間領域では、シンボル番号１〜３のＯＦＤＭシンボルおよびシンボル番号５〜７のＯＦＤＭシンボルに２ＲＥずつ均等に配置され、周波数領域では、サブキャリアインデックス１〜１２のサブキャリアに１ＲＥずつ均等に配置される。よって、移動局１００がＯＦＤＭＡ通信を行う場合でも、時間ダイバーシチ効果および周波数ダイバーシチ効果の双方を得ることができる。
【００６４】
このように、移動局１００は、インタリーブ部１０３で得られるインタリーブ後のデータシンボル（図３に示すシンボル番号１〜６のシンボル）を、ＳＣ−ＦＤＭＡシンボルとしてそのまま用いる。一方、移動局１００は、インタリーブ部１０３で得られるインタリーブ後のデータシンボルを、Ｓ／Ｐ変換部１０７でＳ／Ｐ変換を行うことで、図５に示すＯＦＤＭシンボルとして用いる。つまり、移動局１００は、ＳＣ−ＦＤＭＡ通信およびＯＦＤＭＡ通信のいずれが行われる場合にも、それぞれのデータシンボルをインタリーブするためにインタリーブ部１０３を使用する。つまり、移動局１００では、ＳＣ−ＦＤＭＡ通信およびＯＦＤＭＡ通信でインタリーブ部１０３を共有することができる。
【００６５】
ただし、インタリーブ部１０３では、時間領域におけるインタリーブのみが行われるため、図５に示すようにＳ／Ｐ変換後のＲＥは、コードブロック毎に時間領域に万遍なく分散配置されているものの、周波数領域では一部のサブキャリアのみにしか配置されていない。そのため、移動局１００でＯＦＤＭＡ通信が行われる場合にのみ、インタリーブ後の複数のＲＥを、ＯＦＤＭシンボル毎に異なるシフト量でＯＦＤＭシンボル毎に周波数領域においてシフトさせる。これにより、移動局１００がＯＦＤＭＡ通信を行う場合でも、複数のＲＥがコードブロック毎に周波数領域に分散配置されるため、周波数ダイバーシチ効果が得られる。すなわち、ＯＦＤＭＡ通信においても、ＳＣ−ＦＤＭＡ通信と同様、時間ダイバーシチ効果および周波数ダイバーシチ効果の双方を得ることができる。また、Ｓ／Ｐ変換処理およびシフト処理という簡易な構成により、時間領域においてインタリーブされた複数のＲＥを周波数領域においても分散配置することができる。
【００６６】
このように、本実施の形態では、移動局は、ＳＣ−ＦＤＭＡ通信およびＯＦＤＭＡ通信のいずれが行われる場合にも、複数のＲＥを、双方で共有するインタリーバ（図１に示すインタリーブ部１０３）を用いて、複数のコードブロック間（すなわち、時間領域）においてインタリーブする。これにより、通信方式毎に時間ダイバーシチ効果を得るためのインタリーバを備えなくてよいため、移動局１００の回路規模の増大を抑えることができる。また、ＯＦＤＭＡ通信が行われる場合にのみ、移動局では、複数のＲＥをＯＦＤＭシンボル毎に異なるシフト量でＯＦＤＭシンボル毎に周波数領域においてシフトさせる。これにより、複数のＲＥがコードブロック毎に周波数領域に均等に分散配置されるため、ＯＦＤＭＡ通信においても周波数ダイバーシチ効果を得ることができる。つまり、ＳＣ−ＦＤＭＡ通信およびＯＦＤＭＡ通信の双方でインタリーバを共有しつつ、双方の通信方式で時間ダイバーシチ効果および周波数ダイバーシチ効果を得ることができる。また、移動局は、Ｓ／Ｐ変換処理および周波数シフト処理という簡易な構成のみで複数のＲＥを周波数領域に分散配置させるため、周波数ダイバーシチ効果を得るための移動局の回路規模の増大を最小限に抑えることができる。よって、本発明によれば、移動局が複数の通信方式に適応する場合でも、移動局の回路規模の増大を最小限に抑えつつ、各通信方式で同等のダイバーシチ効果を得ることができる。
【００６７】
（実施の形態２）
本実施の形態では、移動局は、ＯＦＤＭＡ通信が行われる場合にのみ、インタリーブ後の複数のＲＥを、複数のＲＥから成る複数のＯＦＤＭシンボルの時間領域における中心位置を基準にして複数のコードブロック毎に周波数領域に鏡像関係となるように配置する。
【００６８】
本実施の形態に係る移動局３００の構成を図８に示す。なお、図８において図１（実施の形態１）と同一の構成部には同一符号を付し、説明を省略する。
【００６９】
図８に示す移動局３００において、Ｓ／Ｐ変換部１０７およびミラーリング部３０１は、ＯＦＤＭＡ通信が行われる場合にのみ、インタリーブ後の複数のＲＥを複数のコードブロック毎に分散配置する配置手段として機能する。
【００７０】
ミラーリング部３０１は、ＯＦＤＭＡ通信で固有に使用される構成部である。ミラーリング部３０１は、Ｓ／Ｐ変換部１０７から入力されるＯＦＤＭシンボルに対してミラーリング処理を行う。具体的には、ミラーリング部３０１は、複数のＲＥを、複数のＯＦＤＭシンボルの時間領域における中心位置を基準にして複数のコードブロック毎に鏡像関係となるように配置する。そして、ミラーリング部３０１は、ミラーリング処理後のＯＦＤＭシンボルをＲＳ付加部１０９に出力する。
【００７１】
移動局３００のミラーリング部３０１におけるミラーリング処理の一例を図９に示す。以下の説明では、実施の形態１と同様、１スロットが７個のＯＦＤＭシンボルで構成される。また、送信データは、６個のコードブロック（コードブロック１〜６）に分割され、各コードブロックは、各コードブロック内でインタリーブ（サブブロック内インタリーブ）された１２個のＲＥ（ＲＥ１〜１２）で構成される。換言すると、送信データは７２個のＲＥで構成され、７２個のＲＥは６個のコードブロックに分割される。また、１スロット内の７シンボルのうち、１シンボルにＲＳが配置され、６シンボルにコードブロック１〜６が配置される。また、１つのＯＦＤＭシンボルは１２個のサブキャリア（サブキャリアインデックス１〜１２のサブキャリア）を含む。
【００７２】
ミラーリング部３０１は、図５に示すＯＦＤＭシンボルに対してミラーリング処理を行う。例えば、ミラーリング部３０１は、図５に示すコードブロック１〜６それぞれのＲＥ１〜１２を、シンボル番号１〜６のＯＦＤＭシンボルの時間領域における中心位置、すなわち、シンボル番号３のＯＦＤＭシンボルとシンボル番号４のＯＦＤＭシンボルとの境界位置を基準にして、コードブロック毎に鏡像関係となるように配置する。具体的には、図９に示すように、シンボル番号１〜３のＯＦＤＭシンボルでは、ミラーリング部３０１は、図５に示すシンボル番号１〜３のＯＦＤＭシンボルと同様にして、コードブロック１〜６それぞれのＲＥ１〜３およびＲＥ７〜９をサブキャリアインデックス１〜１２のサブキャリアに配置する。
【００７３】
これに対し、図９に示すシンボル番号４〜６のＯＦＤＭシンボルでは、ミラーリング部３０１は、コードブロック１のＲＥ４〜６およびＲＥ１０〜１２をサブキャリアインデックス１１および１２のサブキャリア（コードブロック１のＲＥ１〜３およびＲＥ７〜９が配置されたシンボル番号１〜３のＯＦＤＭシンボルのサブキャリアインデックス１および２のサブキャリアと鏡像関係となるサブキャリア）にそれぞれ配置する。同様に、図９に示すシンボル番号４〜６のＯＦＤＭシンボルでは、ミラーリング部３０１は、コードブロック２のＲＥ４〜６およびＲＥ１０〜１２をサブキャリアインデックス９および１０のサブキャリア（コードブロック２のＲＥ１〜３およびＲＥ７〜９が配置されたシンボル番号１〜３のＯＦＤＭシンボルのサブキャリアインデックス３および４のサブキャリアと鏡像関係となるサブキャリア）にそれぞれ配置する。コードブロック３〜６についても同様である。
【００７４】
図９に示すように、シンボル番号１〜３のＯＦＤＭシンボルでは、コードブロック１〜６のＲＥが、サブキャリアインデックス１のサブキャリアから昇順に配置される。これに対し、シンボル番号４〜６のＯＦＤＭシンボルでは、コードブロック１〜６のＲＥが、サ
ブキャリアインデックス１２のサブキャリアから降順に配置される。つまり、コードブロック１〜６に分割された７２個のＲＥは、シンボル番号１〜３のＯＦＤＭシンボルとシンボル番号４〜６のＯＦＤＭシンボルとの間の位置（中心位置）を基準にしてコードブロック毎に鏡像関係となるサブキャリアにそれぞれ配置される。これにより、移動局３００は、複数のＲＥを、シンボル番号１〜６のＯＦＤＭシンボルに渡って、コードブロック毎に周波数領域に分散配置することができ、周波数ダイバーシチ効果を得ることができる。
【００７５】
また、ミラーリング部３０１は、Ｓ／Ｐ変換部１０７から入力されるＯＦＤＭシンボル（図５に示すシンボル番号１〜６のＯＦＤＭシンボル）のうち、一方のＯＦＤＭシンボル（図５に示すシンボル番号１〜３のＯＦＤＭシンボル）をそのままの状態にし、その一方のＯＦＤＭシンボルと鏡像関係となる他方のＯＦＤＭシンボル（図５に示すシンボル番号４〜６のＯＦＤＭシンボル）に対してのみミラーリング処理を施す。これにより、移動局３００は、実施の形態１におけるシフト処理と比較してより簡易な構成で周波数ダイバーシチ効果を得ることができる。
【００７６】
このようにして、本実施の形態によれば、ミラーリング処理を行うことで、複数のＲＥが複数のコードブロック毎に周波数領域に分散配置される。よって、本実施の形態によれば、実施の形態１と同様、複数の通信方式で同等のダイバーシチ効果を得ることができる。また、本実施の形態におけるミラーリング処理を行うことにより、実施の形態１におけるシフト処理と比較して簡易な構成で周波数ダイバーシチ効果を得ることができるため、実施の形態１の移動局の回路規模と比較して、移動局の回路規模の増大をさらに抑えることができる。
【００７７】
（実施の形態３）
本実施の形態では、移動局は、インタリーブ後の複数のＲＥを、複数のコードブロック毎に周波数領域にランダムに配置する。
【００７８】
本実施の形態に係る移動局４００の構成を図１０に示す。なお、図１０において図１（実施の形態１）と同一の構成部には同一符号を付し、説明を省略する。
【００７９】
図１０に示す移動局４００において、Ｓ／Ｐ変換部１０７およびランダマイズ部４０１は、ＯＦＤＭＡ通信が行われる場合にのみ、インタリーブ後の複数のＲＥを複数のコードブロック毎に分散配置する配置手段として機能する。
【００８０】
ランダマイズ部４０１は、ＯＦＤＭＡ通信で固有に使用される構成部である。ランダマイズ部４０１は、Ｓ／Ｐ変換部１０７から入力されるＯＦＤＭシンボルに対してランダマイズ処理を行う。具体的には、ランダマイズ部４０１は、複数のＲＥを、複数のコードブロック毎に周波数領域にランダムに配置する。そして、ランダマイズ部４０１は、ランダマイズ処理後のＯＦＤＭシンボルをＲＳ付加部１０９に出力する。
【００８１】
移動局４００のランダマイズ部４０１におけるランダマイズ処理の一例を図１１に示す。以下の説明では、実施の形態１と同様、１スロットが７個のＯＦＤＭシンボルで構成される。また、送信データは、６個のコードブロック（コードブロック１〜６）に分割される。また、各コードブロックは、各コードブロック内でインタリーブ（サブブロック内インタリーブ）された１２個のＲＥ（ＲＥ１〜１２）で構成される。換言すると、送信データは７２個のＲＥで構成され、７２個のＲＥは６個のコードブロックに分割される。また、１スロット内の７シンボルのうち、１シンボルにＲＳが配置され、６シンボルにコードブロック１〜６が配置される。また、１つのＯＦＤＭシンボルは１２個のサブキャリア（サブキャリアインデックス１〜１２のサブキャリア）を含む。
【００８２】
ランダマイズ部４０１は、図５に示すＯＦＤＭシンボルに対してランダマイズ処理を行う。例えば、ランダマイズ部４０１は、図５に示すシンボル番号１〜６のＯＦＤＭシンボルに配置された７２個のＲＥを、コードブロック１〜６毎に、サブキャリアインデックス１〜１２のサブキャリアにランダムに配置する。例えば、図１１に示すように、ランダマイズ部４０１は、コードブロック１に対して、ＲＥ１および７をシンボル番号１のＯＦＤＭシンボルのサブキャリアインデックス１および２のサブキャリアにそれぞれ配置し、ＲＥ２および８をシンボル番号２のＯＦＤＭシンボルのサブキャリアインデックス５および６のサブキャリアにそれぞれ配置し、ＲＥ３および９をシンボル番号３のＯＦＤＭシンボルのサブキャリアインデックス３および４のサブキャリアにそれぞれ配置し、ＲＥ４および１０をシンボル番号４のＯＦＤＭシンボルのサブキャリアインデックス７および８のサブキャリアにそれぞれ配置し、ＲＥ５および１１をシンボル番号５のＯＦＤＭシンボルのサブキャリアインデックス１１および１２のサブキャリアにそれぞれ配置し、ＲＥ６および１２をシンボル番号６のＯＦＤＭシンボルのサブキャリアインデックス９および１０のサブキャリアにそれぞれ配置する。コードブロック２〜６についても同様である。
【００８３】
このように、ランダマイズ部４０１は、７２個のＲＥを、シンボル番号１〜６のＯＦＤＭシンボルに渡って、コードブロック１〜６毎にサブキャリアインデックス１〜１２のサブキャリアにランダムに配置する。これにより、移動局４００は、複数のＲＥを、複数のコードブロック毎に周波数領域に分散配置することができる。すなわち、実施の形態１と同様、周波数ダイバーシチ効果を得ることができる。
【００８４】
このようにして、本実施の形態によれば、ＯＦＤＭシンボルを構成する複数のＲＥが、複数のコードブロック毎に周波数領域にランダムに分散配置されるため、実施の形態１と同様の効果を得ることができる。
【００８５】
なお、本実施の形態では、ランダマイズ処理の一例として図１１に示す配置例について説明したが、本発明におけるランダマイズ処理は、図１１に示す配置例に限らない。
【００８６】
（実施の形態４）
本実施の形態では、ＯＦＤＭＡ通信を行う場合、移動局は、インタリーブ後の複数のＲＥをコードブロック毎に１つのＯＦＤＭシンボルの周波数領域に分散配置する。
【００８７】
以下、具体的に説明する。以下の説明では、実施の形態１と同様、１スロットが７個のＯＦＤＭシンボルで構成される。また、送信データは、６個のコードブロック（コードブロック１〜６）に分割される。また、各コードブロックは、各コードブロック内でインタリーブ（サブブロック内インタリーブ）された１２個のＲＥ（ＲＥ１〜１２）で構成される。換言すると、送信データは７２個のＲＥで構成され、７２個のＲＥは６個のコードブロックに分割される。また、１スロット内の７シンボル（シンボル番号１〜７のＯＦＤＭシンボル）のうち、１ＯＦＤＭシンボル（シンボル番号４のＯＦＤＭシンボル）にＲＳが配置され、１スロット内の残りの６ＯＦＤＭシンボルにコードブロック１〜６が配置される。また、１つのＯＦＤＭシンボルは１２個のサブキャリア（サブキャリアインデックス１〜１２のサブキャリア）を含む。また、実施の形態１と同様、送信データのＣＰ部分は図示しない。
【００８８】
本実施の形態における移動局は、コードブロック１〜６に分割された７２個のＲＥを、コードブロック１〜６毎に１つのＯＦＤＭシンボルを構成するサブキャリアインデックス１〜１２のサブキャリアに分散配置する。つまり、複数のＲＥは、コードブロック単位で１つのＯＦＤＭシンボルに配置される。具体的には、図１２に示すように、コードブロック１のＲＥ１〜１２がシンボル番号１のＯＦＤＭシンボルのサブキャリアインデックス１〜１２のサブキャリアにそれぞれ配置される。同様に、コードブロック２のＲＥ１〜１２
がシンボル番号２のＯＦＤＭシンボルのサブキャリアインデックス１〜１２のサブキャリアにそれぞれ配置される。コードブロック３〜６についても同様である。
【００８９】
図１２に示すように、コードブロック１〜６は、サブキャリアインデックス１〜１２のサブキャリア全てに分散配置される。このため、ＯＦＤＭＡ通信では、周波数ダイバーシチ効果を最大限得ることができる。
【００９０】
また、図１２に示すように、コードブロック１〜６は、コードブロック単位で１つのＯＦＤＭシンボルにまとまって配置される。これにより、基地局では、１スロット分のＯＦＤＭシンボルを受信しなくても、コードブロック単位での処理を順次行うことができる。
【００９１】
ここで、実施の形態１におけるＯＦＤＭＡ信号（図７）と本実施の形態におけるＯＦＤＭＡ信号（図１２）とを比較する。例えば、図７に示すＯＦＤＭＡ信号（実施の形態１）の場合、各コードブロックのＲＥがシンボル番号１〜３のＯＦＤＭシンボルおよびシンボル番号５〜７のＯＦＤＭシンボルに分散配置されている。このため、基地局では、最後尾のシンボル番号７のＯＦＤＭシンボルを受信するまでは、各コードブロックのすべてのＲＥの受信が完了しない。
【００９２】
これに対し、図１２に示すＯＦＤＭＡ信号の場合、基地局では、１つのＯＦＤＭシンボルを受信する度に１つのコードブロックのすべてのＲＥの受信が完了する。そのため、基地局は、例えば、図１２に示すシンボル番号１のＯＦＤＭシンボルを受信すればコードブロック１に対して処理を行うことができ、シンボル番号２のＯＦＤＭシンボルを受信すればコードブロック２に対して処理を行うことができる。シンボル番号３〜６のＯＦＤＭシンボルについても同様である。つまり、基地局では、各シンボルを受信する度に、コードブロックに対する処理を順次実施することが可能となる。換言すると、基地局は、パイプライン処理を行うことが可能となり、データ処理効率を向上することができる。
【００９３】
ただし、図１２に示すＯＦＤＭＡ信号に配置された各コードブロックは、１つのＯＦＤＭシンボルにまとまって配置されるため、時間ダイバーシチ効果を得ることができない。しかし、移動局が高速移動していない場合には、時間ダイバーシチ効果が得られなくても基地局では正常に信号を受信することができるため、システムに与える影響は小さい。
【００９４】
このようにして、本実施の形態によれば、移動局は、複数のＲＥを、複数のコードブロック毎に１つのＯＦＤＭシンボルの周波数領域に分散配置する。これにより、各コードブロックに対する周波数ダイバーシチ効果を優先的に得ることができる。また、移動局が１つのＯＦＤＭシンボルに１つのコードブロックをまとめて配置するため、基地局は１つのＯＦＤＭシンボルを受信する度に、１つのコードブロックの受信を完了することができ、コードブロックに対する処理を効率良く行うことができる。
【００９５】
以上、本発明の各実施の形態について説明した。
【００９６】
なお、上記実施の形態では、１スロットを構成する複数のシンボルのうち、中央に位置するシンボルにＲＳが配置される場合を一例として説明した。しかし、本発明では、ＲＳが配置される位置は、１スロット内の中央に位置するシンボルに限らない。
【００９７】
また、上記実施の形態では、１スロットを構成する複数のシンボルのうち、１つのシンボルにＲＳが配置される場合を一例として説明した。しかし、本発明では、例えば、ＯＦＤＭＡ通信を行う場合、ＯＦＤＭシンボルの一部のサブキャリアにＲＳが配置された複数のＯＦＤＭシンボルを定義してもよい。
【００９８】
また、上記実施の形態では、移動局が上り回線で送信する信号（すなわち、基地局が上り回線で受信する信号）がＳＣ−ＦＤＭＡまたはＯＦＤＭＡで伝送される場合について説明した。しかし、本発明は、移動局が上り回線で送信する信号は、ＳＣ−ＦＤＭＡおよびＯＦＤＭＡ以外の通信方式で伝送されてもよい。
【００９９】
また、上記実施の形態では、ＯＦＤＭＡ通信が行われる場合、時間領域で順に配置されたデータシンボルがＳ／Ｐ変換部のＳ／Ｐ変換処理により周波数領域のサブキャリアに配置される場合について説明した。しかし、Ｓ／Ｐ変換処理はデータシンボルを周波数領域のサブキャリアに配置するための簡易な処理の一例である。よって、本発明では、ＯＦＤＭＡ通信が行われる場合に、時間領域で順に配置されたデータシンボルを周波数領域に配置するための処理は、Ｓ／Ｐ処理に限られない。
【０１００】
また、移動局はＵＥ、基地局はＮｏｄｅ Ｂと称されることもある。
【０１０１】
また、上記実施の形態では、本発明をハードウェアで構成する場合を例にとって説明したが、本発明はソフトウェアで実現することも可能である。
【０１０２】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１０３】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１０４】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１０５】
２００８年５月２３日出願の特願２００８−１３５５６８の日本出願に含まれる明細書、図面および要約書の開示内容は、すべて本願に援用される。
【産業上の利用可能性】
【０１０６】
本発明は、移動体通信システム等に適用することができる。
【手続補正２】
【補正対象書類名】特許請求の範囲
【補正対象項目名】全文
【補正方法】変更
【補正の内容】
【特許請求の範囲】
【請求項１】
シングルキャリア通信またはマルチキャリア通信のいずれかを行う無線通信移動局装置であって、
前記シングルキャリア通信および前記マルチキャリア通信のいずれが行われる場合にも、
複数のコードブロックに分割される複数のリソースエレメントを前記複数のコードブロック間においてインタリーブするインタリーブ手段と、
前記マルチキャリア通信が行われる場合にのみ、インタリーブ後の前記複数のリソースエレメントを前記複数のコードブロック毎に周波数領域に分散配置する配置手段と、
を具備する無線通信移動局装置。
【請求項２】
前記配置手段は、インタリーブ後の前記複数のリソースエレメントを前記複数のコードブロック毎に周波数領域に均等に配置する、
請求項１記載の無線通信移動局装置。
【請求項３】
前記配置手段は、インタリーブ後の前記複数のリソースエレメントをシンボル毎に異なるシフト量でシンボル毎に周波数領域においてシフトさせる、
請求項１記載の無線通信移動局装置。
【請求項４】
前記配置手段は、シンボル番号ｎのシンボルにおいて、（（ｎ−１）×Ｎｓｕｂ／Ｎｓｙｍ）（但し、Ｎｓｕｂは前記マルチキャリア通信に用いられるサブキャリア数、Ｎｓｙｍは１スロットあたりのシンボル数）のシフト量を用いる、
請求項３記載の無線通信移動局装置。
【請求項５】
前記配置手段は、インタリーブ後の前記複数のリソースエレメントを、前記複数のリソースエレメントから成る複数のシンボルの時間領域における中心位置を基準にして前記複数のコードブロック毎に鏡像関係となるように配置する、
請求項１記載の無線通信移動局装置。
【請求項６】
前記配置手段は、インタリーブ後の前記複数のリソースエレメントを前記複数のコードブロック毎に周波数領域にランダムに配置する、
請求項１記載の無線通信移動局装置。
【請求項７】
シングルキャリア通信またはマルチキャリア通信のいずれかを行う無線通信移動局装置におけるリソースエレメント分散配置方法であって、
前記シングルキャリア通信および前記マルチキャリア通信のいずれが行われる場合にも、複数のリソースエレメントより構成される複数のコードブロック間においてインタリーブされた前記複数のリソースエレメントを、前記マルチキャリア通信が行われる場合にのみ、前記複数のコードブロック毎に周波数領域に分散配置する、
リソースエレメント分散配置方法。
【手続補正３】
【補正対象書類名】図面
【補正対象項目名】全図
【補正方法】変更
【補正の内容】
【図１】
2009142025.tif 000015
【図２】
2009142025.tif 000016
【図３】
2009142025.tif 000017
【図４】
2009142025.tif 000018
【図５】
2009142025.tif 000019
【図６】
2009142025.tif 000020
【図７】
2009142025.tif 000021
【図８】
2009142025.tif 000022
【図９】
2009142025.tif 000023
【図１０】
2009142025.tif 000024
【図１１】
2009142025.tif 000025
【図１２】
2009142025.tif 000026
【国際調査報告】
2009142025.tif 000027
2009142025.tif 000028
2009142025.tif 000029
2009142025.tif 000030